(57)【要約】【課題】画質が高く、適正な倍率の読取画像の取得を高速に行なうことができる画像読取装置を提供する。【解決手段】両面同時読取において、搬送ローラの速度差に起因して原稿の裏面の読取画像の副走査方向の倍率が、原稿の表面の読取画像の副走査方向の倍率に対して小さくなる。そこで、裏面副走査読取倍率が等倍となるように原稿の搬送速度を決定する。具体的には、裏面副走査読取倍率が等倍となるように補正するための補正係数を算出する。そして、当該補正係数に基づいて副走査設定倍率を補正し、裏面副走査倍率補正値を算出する。そして、裏面副走査倍率補正値に基づいて原稿の搬送速度を決定する。【選択図】図９
2011176740.tif 000002
【特許請求の範囲】
【請求項１】
第１の読取位置において、搬送される原稿の表面を読み取って第１の読取画像を取得する第１の読取手段と、
第２の読取位置において、前記搬送される原稿の裏面を読み取って第２の読取画像を取得する第２の読取手段と、
前記第２の読取位置において、前記第１の読取位置における搬送速度とは異なる速度で前記原稿を搬送する原稿搬送手段と、
前記原稿の読取形態の設定として、一度の搬送で原稿の片面を読み込む片面読取か、一度の搬送で原稿の両面を同時に読み込む両面同時読取かを設定する読取形態設定手段と、
設定倍率を取得する設定倍率取得手段と、
前記片面読取が設定された場合には、前記第１の読取画像における、前記原稿の搬送方向に対応する第１の方向の読取倍率が前記設定倍率となるように前記原稿搬送手段による搬送速度を決定し、前記両面同時読取が設定された場合には、前記第２の読取画像における前記第１の方向の読取倍率が前記設定倍率となるように前記原稿搬送手段の搬送速度を決定する搬送速度制御手段とを備える、画像読取装置。
【請求項２】
前記第１の読取手段における、前記原稿の搬送方向に対応する前記第１の方向と直交する第２の方向の１ラインの読取周期は、前記第２の読取手段における前記第２の方向の１ラインの読取周期と等しい、請求項１に記載の画像読取装置。
【請求項３】
前記第２の読取位置は、前記第１の読取位置よりも原稿の搬送方向に対して下流に配置され、
前記原稿搬送手段は、前記第２の読取位置における搬送速度が、前記第１の読取位置における搬送速度よりも速くなるように原稿を搬送し、
前記両面同時読取が設定された場合に、前記第１の読取画像に対し、前記第１の方向の読取倍率が前記設定倍率となるように電子間引きを行なう電子変倍手段をさらに備える、請求項１または２に記載の画像読取装置。
【請求項４】
前記原稿搬送手段は、
前記第１の読取位置よりも原稿の搬送方向に対して上流に配置された第１の搬送ローラと、
前記第１の読取位置よりも原稿の搬送方向に対して下流に配置された第２の搬送ローラとを少なくとも含み、
前記第１の搬送ローラによる原稿の搬送速度よりも、前記第２の搬送ローラによる原稿の搬送速度の方が速い、請求項３に記載の画像読取装置。
【請求項５】
前記搬送速度制御手段は、前記両面同時読取が設定された場合には、前記第１の読取手段の前記第１の読取位置と前記第２の読取手段の前記第２の読取位置における前記原稿の搬送速度の差に起因して変化する前記第２の読取画像における前記第１の方向の前記読取倍率が前記設定倍率となるように前記搬送速度を決定する、請求項１〜４のいずれかに記載の画像読取装置。
【請求項６】
前記原稿は、前記原稿の搬送方向に対応する前記第１の方向における長さが異なる複数種類の原稿を含み、
前記搬送速度制御手段は、前記両面同時読取が設定された場合には、各前記原稿の長さに起因して変化する前記第２の読取画像における前記第１の方向の前記読取倍率が前記設定倍率となるように前記原稿搬送手段による搬送速度を決定する、請求項１〜４のいずれかに記載の画像読取装置。
【請求項７】
前記原稿は、厚さの異なる複数種類の原稿を含み、
前記搬送速度制御手段は、前記両面同時読取が設定された場合には、各前記原稿の厚さに起因して変化する前記第２の読取画像における前記第１の方向の前記読取倍率が前記設定倍率となるように前記原稿搬送手段による搬送速度を決定する、請求項１〜４のいずれかに記載の画像読取装置。
【請求項８】
前記搬送速度制御手段は、
前記片面読取が設定された場合には、前記第１の読取手段の機差ばらつきに起因して変化する前記第１の読取画像における前記第１の方向の読取倍率が前記設定倍率となるように前記原稿搬送手段による搬送速度を決定し、
前記両面同時読取が設定された場合には、前記第１の読取手段の前記第１の読取位置と前記第２の読取手段の前記第２の読取位置における前記原稿の搬送速度の差および前記第２の読取手段の機差ばらつきに起因して変化する前記第２の読取画像における前記第１の方向の前記読取倍率が前記設定倍率となるように前記原稿搬送手段による搬送速度を決定する、請求項１〜４のいずれかに記載の画像読取装置。
【請求項９】
前記第２の読取位置は、前記第１の読取位置よりも原稿の搬送方向に対して下流に配置され、
前記原稿搬送手段は、前記第２の読取位置における搬送速度が、前記第１の読取位置における搬送速度よりも速くなるように原稿を搬送し、
前記両面同時読取が設定された場合に、前記第１の読取画像に対し、前記第１の方向の読取倍率が前記設定倍率となるように電子間引きを行なう電子変倍手段をさらに備え、
前記電子変倍手段は、前記第１の読取手段の機差ばらつきに起因して変化する前記第１の読取画像における前記第１の方向の読取倍率と、前記第１の読取手段の前記第１の読取位置と前記第２の読取手段の前記第２の読取位置とにおける前記原稿の搬送速度の差および前記第２の読取手段の機差ばらつきに起因して変化する前記第２の読取画像における前記第１の方向の前記読取倍率とを比較して、比較結果に基づいて前記電子間引きを行なう、請求項８に記載の画像読取装置。
【請求項１０】
前記第１の読取手段は、ＣＣＤ（Charge Coupled Device）であり、前記第２の読取手段は、ＣＩＳ（Contact Image Sensor）である、請求項１〜９のいずれかに記載の画像読取装置。
【請求項１１】
請求項１〜１０のいずれかに記載の画像読取装置を備えた、画像形成装置。
【請求項１２】
第１の読取位置において、搬送される原稿の表面を読み取って第１の読取画像を取得する第１の読取手段と、第２の読取位置において、前記搬送される原稿の裏面を読み取って第２の読取画像を取得する第２の読取手段と、前記第２の読取位置において、前記第１の読取位置における搬送速度とは異なる速度で前記原稿を搬送する原稿搬送手段とが設けられた画像読取装置の画像読取方法であって、
前記原稿の読取形態の設定として、一度の搬送で原稿の片面を読み込む片面読取か、一度の搬送で原稿の両面を同時に読み込む両面同時読取かの設定の入力を受け付けるステップと、
設定倍率を取得するステップと、
前記原稿搬送手段の搬送速度を決定するステップとを備え、
前記原稿搬送手段の搬送速度を決定するステップは、
前記片面読取が設定された場合には、前記第１の読取画像における、前記原稿の搬送方向に対応する第１の方向の読取倍率が前記設定倍率となるように前記原稿搬送手段による搬送速度を決定するステップと、
前記両面同時読取が設定された場合には、前記第２の読取画像における前記第１の方向の読取倍率が前記設定倍率となるように前記原稿搬送手段の搬送速度を決定するステップとを含む、画像読取方法。
【請求項１３】
前記第１の読取手段における、前記原稿の搬送方向に対応する前記第１の方向と直交する第２の方向の１ラインの読取周期は、前記第２の読取手段における前記第２の方向の１ラインの読取周期と等しい、請求項１２に記載の画像読取方法。
【請求項１４】
前記第２の読取位置は、前記第１の読取位置よりも原稿の搬送方向に対して下流に配置され、
前記原稿搬送手段は、前記第２の読取位置における搬送速度が、前記第１の読取位置における搬送速度よりも速くなるように原稿を搬送し、
前記両面同時読取が設定された場合に、前記第１の読取画像に対し、前記第１の方向の読取倍率が前記設定倍率となるように電子間引きを行なうステップをさらに備える、請求項１２または１３に記載の画像読取方法。
【請求項１５】
前記原稿搬送手段は、
前記第１の読取位置よりも原稿の搬送方向に対して上流に配置された第１の搬送ローラと、
前記第１の読取位置よりも原稿の搬送方向に対して下流に配置された第２の搬送ローラとを少なくとも含み、
前記第１の搬送ローラによる原稿の搬送速度よりも、前記第２の搬送ローラによる原稿の搬送速度の方が速い、請求項１４に記載の画像読取方法。
【請求項１６】
第１の読取位置において、搬送される原稿の表面を読み取って第１の読取画像を取得する第１の読取手段と、第２の読取位置において、前記搬送される原稿の裏面を読み取って第２の読取画像を取得する第２の読取手段と、前記第２の読取位置において、前記第１の読取位置における搬送速度とは異なる速度で前記原稿を搬送する原稿搬送手段とが設けられた画像読取装置のコンピュータに、
前記原稿の読取形態の設定として、一度の搬送で原稿の片面を読み込む片面読取か、一度の搬送で原稿の両面を同時に読み込む両面同時読取かの設定の入力を受け付けるステップと、
設定倍率を取得するステップと、
前記原稿搬送手段の搬送速度を決定するステップとを備え、
前記原稿搬送手段の搬送速度を決定するステップは、
前記片面読取が設定された場合には、前記第１の読取画像における、前記原稿の搬送方向に対応する第１の方向の読取倍率が前記設定倍率となるように前記原稿搬送手段による搬送速度を決定するステップと、
前記両面同時読取が設定された場合には、前記第２の読取画像における前記第１の方向の読取倍率が前記設定倍率となるように前記原稿搬送手段の搬送速度を決定するステップとを含む処理を実行させる、画像読取装置を制御する制御プログラム。
【請求項１７】
前記第１の読取手段における、前記原稿の搬送方向に対応する前記第１の方向と直交する第２の方向の１ラインの読取周期は、前記第２の読取手段における前記第２の方向の１ラインの読取周期と等しい、請求項１６に記載の画像読取装置を制御する制御プログラム。
【請求項１８】
前記第２の読取位置は、前記第１の読取位置よりも原稿の搬送方向に対して下流に配置され、
前記原稿搬送手段は、前記第２の読取位置における搬送速度が、前記第１の読取位置における搬送速度よりも速くなるように原稿を搬送し、
前記両面同時読取が設定された場合に、前記第１の読取画像に対し、前記第１の方向の読取倍率が前記設定倍率となるように電子間引きを行なうステップをさらに備える、請求項１６または１７に記載の画像読取装置を制御する制御プログラム。
【請求項１９】
前記原稿搬送手段は、
前記第１の読取位置よりも原稿の搬送方向に対して上流に配置された第１の搬送ローラと、
前記第１の読取位置よりも原稿の搬送方向に対して下流に配置された第２の搬送ローラとを少なくとも含み、
前記第１の搬送ローラによる原稿の搬送速度よりも、前記第２の搬送ローラによる原稿の搬送速度の方が速い、請求項１８に記載の画像読取装置を制御する制御プログラム。
【発明の詳細な説明】
【技術分野】
【０００１】
本発明は、デジタル複写機、ファクシミリ、スキャナ等の、原稿の両面を同時に一度の搬送で読み取る両面同時読取機能を有する画像読取装置、画像読取方法、画像読取装置を制御する制御プログラムおよび画像形成装置に関する。
【背景技術】
【０００２】
従来、複写機等に使用される画像読取装置には、ＣＣＤ（Ｃｈａｒｇｅ  Ｃｏｕｐｌｅｄ  Ｄｅｖｉｃｅ）等のセンサによる読取位置を固定し、自動原稿搬送装置により原稿を１ページずつ読取ガラス上に搬送し、その読取位置における原稿からの反射光を読み取ることで、原稿の画像が読み取られる、いわゆる「流し読み」を行うものが知られている。さらには、生産性向上のためにセンサ（ＣＣＤ，ＣＩＳ（Contact Image Sensor）等）を２つ設けて、原稿の表裏を一度の搬送で読み取る「両面同時読取」を行うものが知られている（例えば、特許文献１参照）。
【０００３】
図２４は、両面同時読取が可能な画像読取装置の一般的な構成を説明する図である。
図２４を参照して、画像読取装置の内部には原稿を搬送するための搬送路１２２０が形成されている。この搬送路には原稿を送るための複数の搬送ローラが設けられる。
【０００４】
具体的には、搬送路１２２０における、原稿の搬送方向の上流側から、順に、リードローラ対１１１９、リード排出ローラ対１１２１、排紙ローラ対１１２３が設置されている。リードローラ対１１１９とリード排出ローラ対１１２１との間にはＣＣＤ１１２０の読取位置Ｑ１が配置され、リード排出ローラ対１１２１と排紙ローラ対１１２３との間には、ＣＩＳ１１２９の読取位置Ｑ２が配置されている。
【０００５】
搬送路１２２０を搬送される原稿に対し、ＣＣＤ１１２０が読取位置Ｑ１で原稿の表面（おもてめん）を読み取り、ＣＩＳ１１２９が読取位置Ｑ２で原稿の裏面（うらめん）を読み取る。これにより原稿の表裏を一度の搬送で読み取る、両面同時読取が実行される。
【０００６】
一方、流し読みを行なう画像読取装置では、原稿が、読取位置を通過する際にたるむことを防ぐために、読取位置の下流に配置された搬送ローラによる原稿の搬送速度を、読取位置の上流に配置された搬送ローラによる搬送速度よりも大きく（速く）することが一般的である。
【０００７】
読取位置の上流・下流に配置された搬送ローラによる搬送速度を一致させようとしても、搬送ローラの製造ばらつきや使用による搬送ローラの磨耗等によって、搬送速度を完全に一致させることはできない。そのため、下流に配置された搬送ローラによる搬送速度が、上流に配置された搬送ローラによる搬送速度よりも小さく（遅く）なることにより発生する原稿のたるみを防止するために、予め、読取位置の下流に配置される搬送ローラによる搬送速度を、読取位置の上流に配置される搬送ローラによる搬送速度よりも大きく設計する。
【０００８】
なお、読取位置で原稿のたるみが発生すると、読取画像おいて解像度が劣化する（いわゆるピンボケが発生する）という問題がある。
【０００９】
したがって、図２４に示す画像読取装置においては、ＣＣＤ１１２０の読取位置Ｑ１の上流側に配置されたリードローラ対１１１９による原稿の搬送速度よりも、読取位置Ｑ１の下流側に配置されたリード排出ローラ対１１２１の搬送速度のほうが大きくなっている。
【００１０】
このようにすることで、読取位置Ｑ１において常に原稿が下流側に引っ張られることとなり、読取位置Ｑ１での原稿のたるみを防止することが可能となる。
【００１１】
また、ＣＩＳ１１２９の読取位置Ｑ２の上流側に配置されたリード排出ローラ対１１２１による原稿の搬送速度よりも、読取位置Ｑ２の下流側に配置された排紙ローラ対１１２３の搬送速度のほうが大きくなっている。これにより、読取位置Ｑ２においても常に原稿が下流側に引っ張られることとなり、読取位置Ｑ２での原稿のたるみを防止することが可能となる。
【００１２】
しかし、搬送路の下流に配置される搬送ローラによる搬送速度を、搬送路の上流に配置される搬送ローラによる搬送速度よりも大きくすると、ＣＣＤ１１２０の読取位置Ｑ１における原稿の搬送速度と、ＣＩＳ１１２９の読取位置Ｐ２における原稿の搬送速度が異なることになる。その結果、両面同時読取を行なった場合に、ＣＣＤ１１２０により読み取った原稿の表面の読取画像の倍率と、ＣＩＳ１１２９により読み取った原稿の裏面の読取画像の倍率とが異なってしまうという問題が生じる。
【００１３】
具体的には、原稿の裏面の読取画像の副走査方向の倍率が、原稿の表面の読取画像の副走査方向の倍率に対して小さくなってしまうという問題が生じる。
【００１４】
上記の特許文献１においては、搬送路の下流に配置された搬送ローラによる原稿の搬送速度を、搬送路の上流に配置された搬送ローラによる搬送速度よりも大きくすることについては何ら考慮されておらず、読取位置での原稿のたるみに起因する解像度の劣化に対処することができない。
【００１５】
また、特許文献２においては、上流に配置されたローラによる搬送速度に対して、下流に配置されたローラによる搬送速度を大きくするとともに、原稿の表面と裏面との主走査方向の走査周期（１ラインあたりの走査時間）を変更することにより副走査方向の倍率の補正をする方式が示されている。具体的には、パルスジェネレータを用いて、主走査方向の走査周期を変更する方式が示されている。
【先行技術文献】
【特許文献】
【００１６】
【特許文献１】特開２００６−１１５１３４号公報
【特許文献２】特開２００８−１０４１６５号公報
【発明の概要】
【発明が解決しようとする課題】
【００１７】
しかしながら、上記特許文献２に示される倍率補正の方式は、原稿の読取中に主走査方向の走査周期を局所的に変更する方式であるため、タイミングの制御が複雑となるとともに、当該制御を実現するための特別なハード構成が必要となる。
【００１８】
また、１ラインあたりの走査時間を局所的に変更するため、走査時間を切り替えた箇所において、原稿の読取画像に濃度むらが生じ、画質が劣化するという問題があった。
【００１９】
また、別の倍率補正の方式として、裏面の読取画像をメモリに一旦格納しておき、そのデータに対して所定の画像処理アルゴリズムに従い、裏面の読取画像のライン数を拡大する処理（水増し処理）を実行するものがある。
【００２０】
しかしながら、この方式によると、裏面の読取画像のデータをメモリに一旦格納し、再度そのデータを読み出して画像処理を行なう必要があるため、高速に画像読取ができる両面同時読取の利点が損なわれるという問題があった。
【００２１】
本発明は、上記のような問題を解決するためになされたものであって、画質が高く、適正な倍率の読取画像の取得を高速に行なうことができる画像読取装置、画像読取方法、画像読取装置を制御する制御プログラム、および画像形成装置を提供することを目的とする。
【課題を解決するための手段】
【００２２】
本発明のある局面に従う画像読取装置は、第１の読取位置において、搬送される原稿の表面を読み取って第１の読取画像を取得する第１の読取手段と、第２の読取位置において、搬送される原稿の裏面を読み取って第２の読取画像を取得する第２の読取手段と、第２の読取位置において、第１の読取位置における搬送速度とは異なる速度で原稿を搬送する原稿搬送手段と、原稿の読取形態の設定として、一度の搬送で原稿の片面を読み込む片面読取か、一度の搬送で原稿の両面を同時に読み込む両面同時読取かを設定する読取形態設定手段と、設定倍率を取得する設定倍率取得手段と、片面読取が設定された場合には、第１の読取画像における、原稿の搬送方向に対応する第１の方向の読取倍率が設定倍率となるように原稿搬送手段による搬送速度を決定し、両面同時読取が設定された場合には、第２の読取画像における第１の方向の読取倍率が設定倍率となるように原稿搬送手段の搬送速度を決定する搬送速度制御手段とを備える。
【００２３】
好ましくは、第１の読取手段における、原稿の搬送方向に対応する第１の方向と直交する第２の方向の１ラインの読取周期は、第２の読取手段における第２の方向の１ラインの読取周期と等しい。
【００２４】
好ましくは、第２の読取位置は、第１の読取位置よりも原稿の搬送方向に対して下流に配置される。原稿搬送手段は、第２の読取位置における搬送速度が、第１の読取位置における搬送速度よりも速くなるように原稿を搬送する。両面同時読取が設定された場合に、第１の読取画像に対し、第１の方向の読取倍率が設定倍率となるように電子間引きを行なう電子変倍手段をさらに備える。
【００２５】
特に、原稿搬送手段は、第１の読取位置よりも原稿の搬送方向に対して上流に配置された第１の搬送ローラと、第１の読取位置よりも原稿の搬送方向に対して下流に配置された第２の搬送ローラとを少なくとも含む。第１の搬送ローラによる原稿の搬送速度よりも、第２の搬送ローラによる原稿の搬送速度の方が速い。
【００２６】
好ましくは、搬送速度制御手段は、両面同時読取が設定された場合には、第１の読取手段の第１の読取位置と第２の読取手段の第２の読取位置における原稿の搬送速度の差に起因して変化する第２の読取画像における第１の方向の読取倍率が設定倍率となるように搬送速度を決定する。
【００２７】
好ましくは、原稿は、原稿の搬送方向に対応する第１の方向における長さが異なる複数種類の原稿を含む。搬送速度制御手段は、両面同時読取が設定された場合には、各原稿の長さに起因して変化する第２の読取画像における第１の方向の読取倍率が設定倍率となるように原稿搬送手段による搬送速度を決定する。
【００２８】
好ましくは、原稿は、厚さの異なる複数種類の原稿を含む。搬送速度制御手段は、両面同時読取が設定された場合には、各原稿の厚さに起因して変化する第２の読取画像における第１の方向の読取倍率が設定倍率となるように原稿搬送手段による搬送速度を決定する。
【００２９】
好ましくは、搬送速度制御手段は、片面読取が設定された場合には、第１の読取手段の機差ばらつきに起因して変化する第１の読取画像における第１の方向の読取倍率が設定倍率となるように原稿搬送手段による搬送速度を決定する。両面同時読取が設定された場合には、第１の読取手段の第１の読取位置と第２の読取手段の第２の読取位置における原稿の搬送速度の差および第２の読取手段の機差ばらつきに起因して変化する第２の読取画像における第１の方向の読取倍率が設定倍率となるように原稿搬送手段による搬送速度を決定する。
【００３０】
好ましくは、第２の読取位置は、第１の読取位置よりも原稿の搬送方向に対して下流に配置される。原稿搬送手段は、第２の読取位置における搬送速度が、第１の読取位置における搬送速度よりも速くなるように原稿を搬送する。両面同時読取が設定された場合に、第１の読取画像に対し、第１の方向の読取倍率が設定倍率となるように電子間引きを行なう電子変倍手段をさらに備える。電子変倍手段は、第１の読取手段の機差ばらつきに起因して変化する第１の読取画像における第１の方向の読取倍率と、第１の読取手段の第１の読取位置と第２の読取手段の第２の読取位置とにおける原稿の搬送速度の差および第２の読取手段の機差ばらつきに起因して変化する第２の読取画像における第１の方向の読取倍率とを比較して、比較結果に基づいて電子間引きを行なう。
【００３１】
好ましくは、第１の読取手段は、ＣＣＤ（Charge Coupled Device）であり、第２の読取手段は、ＣＩＳ（Contact Image Sensor）である。
【００３２】
本発明のある局面に従う画像形成装置は、上記に記載の画像読取装置を備える。
本発明のある局面に従う画像読取方法は、第１の読取位置において、搬送される原稿の表面を読み取って第１の読取画像を取得する第１の読取手段と、第２の読取位置において、搬送される原稿の裏面を読み取って第２の読取画像を取得する第２の読取手段と、第２の読取位置において、第１の読取位置における搬送速度とは異なる速度で原稿を搬送する原稿搬送手段とが設けられた画像読取装置の画像読取方法であって、原稿の読取形態の設定として、一度の搬送で原稿の片面を読み込む片面読取か、一度の搬送で原稿の両面を同時に読み込む両面同時読取かの設定の入力を受け付けるステップと、設定倍率を取得するステップと、原稿搬送手段の搬送速度を決定するステップとを備える。原稿搬送手段の搬送速度を決定するステップは、片面読取が設定された場合には、第１の読取画像における、原稿の搬送方向に対応する第１の方向の読取倍率が設定倍率となるように原稿搬送手段による搬送速度を決定するステップと、両面同時読取が設定された場合には、第２の読取画像における第１の方向の読取倍率が設定倍率となるように原稿搬送手段の搬送速度を決定するステップとを含む。
【００３３】
好ましくは、第１の読取手段における、原稿の搬送方向に対応する第１の方向と直交する第２の方向の１ラインの読取周期は、第２の読取手段における第２の方向の１ラインの読取周期と等しい。
【００３４】
好ましくは、第２の読取位置は、第１の読取位置よりも原稿の搬送方向に対して下流に配置される。原稿搬送手段は、第２の読取位置における搬送速度が、第１の読取位置における搬送速度よりも速くなるように原稿を搬送する。両面同時読取が設定された場合に、第１の読取画像に対し、第１の方向の読取倍率が設定倍率となるように電子間引きを行なうステップをさらに備える。
【００３５】
特に、原稿搬送手段は、第１の読取位置よりも原稿の搬送方向に対して上流に配置された第１の搬送ローラと、第１の読取位置よりも原稿の搬送方向に対して下流に配置された第２の搬送ローラとを少なくとも含む。第１の搬送ローラによる原稿の搬送速度よりも、第２の搬送ローラによる原稿の搬送速度の方が速い。
【００３６】
本発明のある局面に従う画像読取装置を制御する制御プログラムは、第１の読取位置において、搬送される原稿の表面を読み取って第１の読取画像を取得する第１の読取手段と、第２の読取位置において、搬送される原稿の裏面を読み取って第２の読取画像を取得する第２の読取手段と、第２の読取位置において、第１の読取位置における搬送速度とは異なる速度で原稿を搬送する原稿搬送手段とが設けられた画像読取装置のコンピュータに、原稿の読取形態の設定として、一度の搬送で原稿の片面を読み込む片面読取か、一度の搬送で原稿の両面を同時に読み込む両面同時読取かの設定の入力を受け付けるステップと、設定倍率を取得するステップと、原稿搬送手段の搬送速度を決定するステップとを備える。原稿搬送手段の搬送速度を決定するステップは、片面読取が設定された場合には、第１の読取画像における、原稿の搬送方向に対応する第１の方向の読取倍率が設定倍率となるように原稿搬送手段による搬送速度を決定するステップと、両面同時読取が設定された場合には、第２の読取画像における第１の方向の読取倍率が設定倍率となるように原稿搬送手段の搬送速度を決定するステップとを含む処理を実行させる。
【００３７】
好ましくは、第１の読取手段における、原稿の搬送方向に対応する第１の方向と直交する第２の方向の１ラインの読取周期は、第２の読取手段における第２の方向の１ラインの読取周期と等しい。
【００３８】
好ましくは、第２の読取位置は、第１の読取位置よりも原稿の搬送方向に対して下流に配置される。原稿搬送手段は、第２の読取位置における搬送速度が、第１の読取位置における搬送速度よりも速くなるように原稿を搬送する。両面同時読取が設定された場合に、第１の読取画像に対し、第１の方向の読取倍率が設定倍率となるように電子間引きを行なうステップをさらに備える。
【００３９】
特に、原稿搬送手段は、第１の読取位置よりも原稿の搬送方向に対して上流に配置された第１の搬送ローラと、第１の読取位置よりも原稿の搬送方向に対して下流に配置された第２の搬送ローラとを少なくとも含む。第１の搬送ローラによる原稿の搬送速度よりも、第２の搬送ローラによる原稿の搬送速度の方が速い。
【発明の効果】
【００４０】
本発明のある局面に従う画像読取装置は、片面読取が設定された場合には、第１の読取画像における、原稿の搬送方向に対応する第１の方向の読取倍率が設定倍率となるように原稿搬送手段による搬送速度を決定し、両面同時読取が設定された場合には、第２の読取画像における第１の方向の読取倍率が設定倍率となるように原稿搬送手段の搬送速度を決定する。したがって、両面原稿の読取に関して、第２の読取画像における第１の方向である副走査方向の読取倍率が設定倍率となるように原稿搬送手段の搬送速度が決定されるため、第２の読取画像については副走査方向に電子変倍することなく等倍の画像を得ることができる。また、副走査方向の電子変倍処理に起因する画質の低下を最小限に抑えることができる。また、副走査方向の電子変倍処理は常に間引き（縮小処理）となり、電子変倍処理による副走査方向の水増し処理（拡大）を行なう必要がないため、画像読取処理のパフォーマンスが低下することはなく、画像読取を高速で行なうことができる。
【図面の簡単な説明】
【００４１】
【図１】本発明の実施形態に従う画像読取装置としてのＭＦＰ１の外観図である。
【図２】本発明の実施の形態に従うＭＦＰ１のハードウェア構成について説明する図である。
【図３】操作パネル１０の構成について説明する図である。
【図４】本発明の実施の形態に従う画像読取装置を含む画像形成装置の概略を説明する図である。
【図５】ＡＤＦ１５およびスキャナ１３の機能構成について説明する図である。
【図６】第１および第２画像処理部の機能について説明する図である。
【図７】ＭＦＰ１における、搬送ローラ間の搬送速度の違いに起因する副走査倍率のズレ及び、そのズレを補正するための補正係数について説明する図である。
【図８】原稿の副走査方向の長さと裏面副走査読取倍率との関係を示すグラフである。
【図９】Ａ４Ｌの原稿を両面同時読取する場合における、搬送ローラの搬送速度と読取画像のサイズの関係を説明する図である。
【図１０】機差補正係数βを算出する方法を説明するフローチャートである。
【図１１】図１０のフローチャートのステップＳ２における、手置読取に関する機差補正係数βの算出処理について説明する図である。
【図１２】図１１に示すフローチャートのステップＳ１２で読み取られるテストチャートの読取画像の一例を示す。
【図１３】図１０のフローチャートのステップＳ４における、ＡＤＦ表面読取に関する機差補正係数βの算出処理について説明する図である。
【図１４】図１０のフローチャートのステップＳ６における、ＡＤＦ裏面読取に関する機差補正係数βの算出処理について説明する図である。
【図１５】図１４に示すフローチャートのステップＳ３２で読み取られるテストチャートの読取画像の一例を示す。
【図１６】図１０に示す出荷時パラメータの設定処理に従ってＲＯＭ３０に登録された補正係数について説明する図である。
【図１７】本発明の実施の形態に従うＭＦＰ１におけるコピー機能を実行する場合の処理の流れについて説明するフロー図である。
【図１８】図１７に示すフロー図のステップＳ５４で行なわれる倍率設定処理の内容を説明するフロー図である。
【図１９】原稿の厚さのばらつきに従う表面読取画像の表面副走査読取倍率について説明する図である。
【図２０】本発明の実施の形態の変形例１に従う倍率設定処理の内容を説明するフロー図である。
【図２１】本発明の実施の形態の変形例２に従う両面同時読取の倍率設定処理について説明するフロー図である。
【図２２】本発明の実施の形態の変形例２に従う電子間引き判定処理について説明する図である。
【図２３】裏面副走査補正係数β（Ｓ２）に対する表面副走査補正係数β（Ｓ１）の比について説明する図である。
【図２４】両面同時読取が可能な画像読取装置の一般的な構成を説明する図である。
【発明を実施するための形態】
【００４２】
以下、図面を参照しつつ本発明の実施の形態について説明する。以下の説明において同一の部品および構成要素には同一の符号を付してある。それらの名称および機能も同一であるものとする。
【００４３】
（ＭＦＰ全体構成）
図１は、本発明の実施形態に従う画像読取装置としてのＭＦＰ１の外観図である。
【００４４】
図１を参照して、本発明の実施の形態に従うＭＦＰ１は、コピー機能、スキャナ機能、ファックス機能等を有するデジタル複合機である。
【００４５】
ＭＦＰ１は、後述する操作パネル１０を備えており、この操作パネル１０は、複数のキー１１ａと、当該キー１１ａに対するユーザの操作による各種の指示や、文字、数字などのデータの入力を受付ける操作部１１と、ユーザに対する指示メニューや取得した画像に関する情報などの表示を行なう液晶等からなるディスプレイ１２とを有している。
【００４６】
また、ＭＦＰ１は、原稿を光学的に読取って画像データを得るスキャナ１３と、読取画像に基づいて記録シート上に画像を印刷するプリンタ１４とを備えている。
【００４７】
また、ＭＦＰ１の本体上面には、原稿トレイ１７に載置された原稿をスキャナ１３に送る自動原稿搬送装置（ＡＤＦ（auto document feeder）とも称する）１５が、下部にはプリンタ１４に記録シートを供給する給紙部１８が、中央部にはプリンタ１４によって画像を印刷された記録シートが排出されるトレイ１９がそれぞれ配備されている。
【００４８】
さらに、ＭＦＰ１の本体の内部には、本体を制御するための各部で用いられる制御プログラム、画像データ（読取画像）、各種パラメータ等、必要なデータを記憶する記憶部２６などが設けられている。
【００４９】
図２は、本発明の実施の形態に従うＭＦＰ１のハードウェア構成について説明する図である。
【００５０】
図２を参照して、本発明の実施の形態に従うＭＦＰ１は、紙媒体等の原稿を画像データ（電子データ）に変換するためのスキャナ１３と、印刷処理を実行するためのプリンタ１４と、電子メール（Ｅ−ｍａｉｌとも称する）の送受信を実行するためのメーラ２２と、公衆回線を利用したデータ伝送を実行するためのファクシミリ１６と、通信インタフェース（Ｉ／Ｆ）３４と、入力等の操作指示を実行する操作パネル１０と、制御プログラム、各種パラメータ等が格納されたＲＯＭ（Read Only Memory）３０と、制御部２０等で実行される制御処理を実行するためのワークエリア等として用いられるＲＡＭ（Random Access Memory）２８と、ＭＦＰ１に登録された各種情報等を格納するＨＤＤ（Hard Disk Drive）３２と、ＭＦＰ１全体を制御する制御部２０と、原稿をスキャナ１３に搬送する搬送手段であるＡＤＦ１５とを備える。制御部２０は、例えばＣＰＵ（Central Processing Unit）等で構成されるものとする。また、ＲＯＭ３０と、ＲＡＭ２８と、ＨＤＤ３２により記憶部２６が構成される。
【００５１】
なお、各部は内部バス２１を介して制御部２０と接続されており、制御部２０は、各部との間でデータの授受を実行することが可能である。
【００５２】
ＡＤＦ１５は、原稿トレイ１７に載置された原稿をスキャナ１３の読取ガラスに搬送する。
【００５３】
スキャナ１３は、複数の光電変換素子（受光素子）で構成される光センサを含む。光センサは、読取ガラスを介して写真、文字、絵などの画像情報を原稿から光電的に読取って画像データを取得する。本例においては、当該画像データ（読取画像とも称する）を取得する光センサとして、２つの光センサ（ＣＣＤ（Charge Coupled Device），ＣＩＳ（Contact Image Sensor））を設ける場合について説明する。取得された読取画像は、デジタルデータに変換され、周知の各種画像処理を施された後、ＲＡＭ２８内に一旦格納され、プリンタ１４等に送られ、画像の印刷やデータの保存に供される。
【００５４】
プリンタ１４は、スキャナ１３等により取得された読取画像に基づいて、給紙部１８に格納された記録シート上に画像を印刷処理する。
【００５５】
メーラ２２は、図示されていないネットワークを介して接続されたメールサーバ等との間で電子メールの送受信を実行する。
【００５６】
ファクシミリ１６は、スキャナ１３等により取得された読取画像を所定のプロトコルに従って他のファクシミリ装置に送信する。
【００５７】
通信Ｉ／Ｆ３４は、ＭＦＰ１の内部の各部と図示されていないネットワークと接続された外部の機器等とを接続するためのインタフェースである。通信Ｉ／Ｆ３４は、有線あるいは無線によりネットワークと接続されて、他のＭＦＰあるいはＰＣ（Personal Computer）等とデータの授受を実行する。なお、ネットワークとしては、ＬＡＮ（Local Area Network）やＷＡＮ（Wide Area Network）などが想定されている。
【００５８】
また、操作パネル１０のディスプレイ１２は、ＬＣＤ（Liquid Crystal Display）とタッチパネルとを含み、ＬＣＤが各種モードの表示を行うとともに、タッチパネルが表示内容等に従った各種設定等を受け付ける。また、操作部１１は、ユーザによる種々の入力に用いられるものである。これらがユーザインタフェースの要部として機能する。
【００５９】
図３は、操作パネル１０の構成について説明する図である。
図３を参照して、操作パネル１０において、複数のキー１１ａと、ディスプレイ１２とが設けられる。ユーザは、ディスプレイ１２に表示されたユーザに対する指示メニューや、取得した画像に関する情報等の表示を見て、キー１１ａを操作して、各種の指示や、文字、数字などのデータを入力することが可能である。
【００６０】
スタートキー２０１は、コピー／スキャン等の動作を開始させるために用いられる。テンキー２０２は、コピー枚数等の数値を入力するために用いられる。クリアキー２０３は、入力された数値のクリア、および記憶部２６に蓄積された画像データを破棄する等に用いられる。
【００６１】
ストップキー２０４は、コピー／スキャン動作の停止を指示するために用いられる。パネルリセットキー２０５は、設定されている操作モードおよびジョブを破棄するために用いられる。
【００６２】
また、ディスプレイ１２は、各種モードの表示等を行い、表面にはタッチパネル２０６が取り付けられている。このタッチパネル２０６によって、ユーザはディスプレイ内の表示内容に従った各種設定を行うことができる。
【００６３】
タッチパネル２０６における設定画面領域２０７には、通常は、コピー動作やスキャン動作を実行する際に行う基本的／応用的な設定のためのボタンが配置されている。各ボタンを挿下すると、その詳細設定を行うための階層画面が表示される。
【００６４】
具体的には、一例として、本例においては、選択可能な「基本」設定タブ、「集約」設定タブ、「原稿画質」設定タブ、「応用」設定タブが配置されている場合が示されている。
【００６５】
そして、本例においては「基本」設定タブが選択された状態の階層画面が示されており、印刷用紙の濃度あるいは下地部分を調整するための「濃度／下地」設定ボタン２３２、原稿の読取形態（片面／両面）および出力用紙（印刷用紙）の印刷形態（片面／両面）を設定するための「片面／両面」設定ボタン２３４、印刷倍率を調整するための「倍率」設定ボタン２３６、および用紙のサイズを設定するための「用紙」設定ボタン２３８が一例としてそれぞれ示されている。
【００６６】
例えば、「片面／両面」設定ボタン２３４を選択して、読取形態を両面に設定することによりユーザは両面の読取の設定が可能である。ＭＦＰ１は両面の読取の設定が行なわれると、ＣＣＤとＣＩＳとによる両面同時読取を行なう。
【００６７】
また、「倍率」設定ボタン２３６を選択することによりユーザは、原稿の読取画像に関して、所定の倍率への縮小／拡大を実行するように設定することが可能である。つまり、ユーザは所望の設定倍率を手動で設定することができる。なお、「倍率」設定ボタン２３６を選択しない場合には、初期値として、原稿の読取画像の設定倍率は等倍（１．０００倍）に設定される。
【００６８】
また、ユーザは、「集約」設定タブを選択することにより、複数枚の原稿を読み取って１枚の用紙の片面に集約して印刷する機能の選択が可能であるものとする。例えば、２枚の原稿の読取画像を１枚の用紙の片面に印刷する２イン１モードや、４枚の原稿の読取画像を１枚の用紙の片面に印刷する４イン１モード等がある。なお、２イン１モードを選択した場合には、当該モードの選択に従い、２枚の原稿の読取画像を１枚の用紙の片面に配置するための倍率が、設定倍率として自動的に設定される。
【００６９】
なお、ユーザが設定倍率を手動で設定する場合と、ＭＦＰ１が自動的に設定倍率を設定する場合のいずれの場合においても、主走査方向の設定倍率（主走査設定倍率）と副走査方向の設定倍率（副走査設定倍率）とを独立して設定することが可能である。
【００７０】
コピー（Ｃｏｐｙ）キー２１０、およびスキャン（Ｓｃａｎ）キー２１１はＭＦＰ１をコピー／スキャナの何れのモードで動作させるかを設定するための選択キーである。なお、初期状態においては、コピー（Ｃｏｐｙ）キー２１０が選択キーとして選択された状態であるものとする。
【００７１】
コピーキー２１０を押下した場合、ＭＦＰ１はコピー機として使用可能となる。
この時、タッチパネル２０６の設定画面領域２０７には、コピー動作に対する各種設定を行うための表示が行われる。諸設定を終了後、原稿トレイ１７に原稿がセットされた状態でスタートキー２０１を押下することにより、コピー動作が開始される。
【００７２】
また、スキャンキー２１１を押下した場合、ＭＦＰ１はスキャナとなる。
この時、タッチパネル２０６の設定画面領域２０７には、スキャン動作に対する各種設定を行うための表示が行われる。諸設定を終了後、原稿トレイ１７に原稿がセットされた状態でスタートキー２０１を押下することにより、スキャン動作が開始される。
【００７３】
また、ファックス（Ｆａｘ）キー２１３がコピーキー２１０とスキャンキー２１１と同様に設けられており、当該キーを押下した場合、ＭＦＰ１をファックスのモードで動作させることが可能である。この時、タッチパネル２０６の設定画面領域２０７には、ファックス動作に対する各種設定を行うための表示が行なわれる。原稿トレイ１７に原稿がセットされた状態でスタートキー２０１を押下することによりファックス送信が開始される。
【００７４】
図４は、本発明の実施の形態に従う画像読取装置を含む画像形成装置の概略を説明する図である。
【００７５】
図４を参照して、ＡＤＦ１５は、原稿トレイ１７と、給紙ローラ１１３と、分離ローラ１１５と、レジストローラ１１７と、リードローラ対１１９と、搬送ガイド部材１２０と、リード排出ローラ対１２１と、排出ローラ対１２３と、排紙ローラ対１３０と、反転排出ローラ対１２２と、排紙トレイ１２７と、排紙・反転切換部１２５，１２６と、ＣＩＳ１２９と、ＡＤＦ１５の全体を制御するためのＡＤＦ制御部１６１とを含む。なお、ＡＤＦ１５と、スキャナ１３とで画像読取装置を構成する。
【００７６】
スキャナ１３は、透明な部材から構成された読取ガラス１３１と、プラテンガラス１３２と、光を照射するための光源１３３と、光源の光を反射させる反射部材１３５と、赤（Ｒ）、緑（Ｇ）および青（Ｂ）それぞれに対応して３つのラインセンサが副走査方向に配列されたＣＣＤ１４１と、原稿からの反射光をＣＣＤ１４１に導くための反射ミラー１３７Ａ，１３７Ｂ，１３７Ｃと、反射ミラー１３７Ｃで反射した光をＣＣＤ１４１上に結像させるためのレンズ１３９と、ＣＣＤ１４１が出力する画像データを処理するための第１画像処理部１４３と、ＣＩＳ１２９が出力する画像データを処理するための第２画像処理部１４５と、スキャナ１３全体を制御するスキャナ制御部１５１とを含む。
【００７７】
プリンタ１４は、スキャナ制御部１５１を介して第１および第２画像処理部１４３，１４５から入力された画像データの画像形成処理を実行し、印刷用紙に対して所定の印刷モードに従って入力された画像データを印刷する。
【００７８】
ＡＤＦ制御部１６１は、給紙ローラ１１３、分離ローラ１１５、レジストローラ１１７、リードローラ対１１９、リード排出ローラ対１２１、排出ローラ対１２３、反転排出ローラ対１２２および排紙ローラ対１３０とを回転させる動力源となるモータの駆動を制御する。また、ＡＤＦ制御部１６１は、原稿の排出（排紙）および反転の制御を実行するための排紙・反転切換部１２５，１２６の制御も実行する。
【００７９】
給紙ローラ１１３は、原稿トレイ１７に積載された複数の原稿の最上段から１枚の原稿を捌き、分離ローラ１１５に原稿を搬送し、分離ローラ１１５およびレジストローラ１１７は、原稿をリードローラ対１１９に搬送する。リードローラ対１１９は、搬送ガイド部材１２０を介して、原稿を読取ガラス１３１上のスキャナ１３の第１読取位置Ｌ１に搬送する。
【００８０】
第１読取位置Ｌ１を通過した原稿は、リード排出ローラ対１２１に到達するとリード排出ローラ対１２１により第２読取位置Ｌ２に搬送される。
【００８１】
リード排出ローラ対１２１を通過した原稿は、ＣＩＳ１２９の第２読取位置Ｌ２を通り、排出ローラ対１２３に導かれた後、排出ローラ対１２３により、原稿は排紙ローラ対１３０に導かれる。排紙ローラ対１３０を通過した原稿は、搬送経路Ｐ１から排紙トレイ１２７に排出され、積載される。
【００８２】
なお、本例においては、一例として、排紙・反転切換部１２５，１２６の切換えに従って搬送経路が切換えられ、排出ローラ対１２３から、搬送経路Ｐ２の方向へと原稿が一端導かれ、そして、再び排出ローラ対１２３を介して搬送経路Ｐ３を介してレジストローラ１１７へと導くことも可能である。この場合、レジストローラ１１７へと導かれた原稿は先にレジストローラ１１７に導かれた状態と反転した状態で再び導かれ、再び、第１および第２読取位置へと搬送することが可能となる。そして、第１および第２読取位置へと搬送された原稿は、反転した状態であるため排紙・反転切換部１２５，１２６の切換えに従ってリード排出ローラ対１２１から搬送経路Ｐ４の方向へと原稿が一端導かれ、そして、反転排出ローラ対１２２と、排紙ローラ対１３０により搬送経路Ｐ１から排紙トレイ１２７に排出することも可能である。当該方式により、反転した原稿は、元の状態に戻り、排紙ローラ対１３０から排紙トレイ１２７に導かれることになる。
【００８３】
なお、上記において説明した排紙・反転切換部１２５，１２６の切換えによる搬送経路の切換え等は本件において必須のものではなく、排紙・反転切換部１２５，１２６、反転排出ローラ対１２２を設けない構成とすることも当然に可能である。
【００８４】
ＣＣＤ１４１は、ラインセンサとして原稿の搬送方向と実質的に垂直な主走査方向に複数配列された非接触型の光電変換素子を含む。本実施例においては、一例として、ＣＣＤ１４１は６００ｄｐｉの読取解像度に対応しているものとする。
【００８５】
ＣＣＤ１４１は、ＡＤＦ１５により搬送される原稿が第１読取位置Ｌ１を通過する際に、原稿の画像をラインセンサにより光学的に読取り、光電変換した画像データを第１画像処理部４３に出力する。
【００８６】
ＣＩＳ１２９は、ラインセンサとして原稿の搬送方向と実質的に垂直な主走査方向に複数配列された密着型の光電変換素子を含む。本実施例においては、一例として、ＣＩＳ１２９は６００ｄｐｉの読取解像度に対応しているものとする。
【００８７】
また、ＣＩＳ１２９の主走査方向の走査周期（１ラインの走査時間）は、ＣＣＤ１４１の主走査方向の走査周期と同じとする。よって、第１読取位置Ｌ１における原稿の搬送速度と、第２読取位置Ｌ２における原稿の搬送速度とが等しければ、ＣＣＤ１４１による副走査方向の読取倍率とＣＩＳ１２９による副走査方向の読取倍率とは等しくなる。
【００８８】
ＣＩＳ１２９は、原稿の搬送経路に設けられた開口部１２８に臨んでおり、第２読取位置Ｌ２を通過する原稿の画像を光学的に読取り、光電変換した画像データを第２画像処理部１４５に出力する。
【００８９】
ＭＦＰ１においては、読取形態として両面が設定されると、ＣＣＤ１４１とＣＩＳ１２９とが、搬送される原稿の表面、裏面の画像をそれぞれ一度に読取る。つまり、両面同時読取を行なう。
【００９０】
また、ＭＦＰ１においては、読取形態として片面が設定されると、ＣＣＤ１４１が搬送される原稿の表面の画像を読み取る。つまり片面読取を行なう。
【００９１】
なお、以下においては、リードローラ対１１９、リード排出ローラ対１２１、排出ローラ対１２３をそれぞれ搬送ローラＲ１，Ｒ２，Ｒ３とも称する。また、搬送ローラＲ１，Ｒ２，Ｒ３を総称して、単に搬送ローラと称することがある。
【００９２】
本例においては、ＡＤＦ１５により搬送ローラを用いて搬送される原稿に対して、原稿の画像を読み取る方式、すなわち流し読みによる画像読取を「ＡＤＦ読取」とも称する。
【００９３】
一方で、スキャナ１３は、ＡＤＦ１５を用いない、手置き原稿の画像も読み取る。
具体的には、手置き原稿は、プラテンガラス１３２上に載置される。プラテンガラス１３２上に載置された手置き原稿は、移動可能なスライダユニットがプラテンガラス１３２全面に渡って移動することによりプラテンガラス１３２に面した手置き原稿の画像を読み取ることが可能である。スライダユニットは、光源１３３と、反射部材１３５と、反射ミラー１３７Ａ〜１３７Ｃ等とを搭載する。そして、当該スライダユニットをスライダモータ５５（図５参照）によりプラテンガラス１３２の一方の端部から他方の端部まで移動させる。
【００９４】
ＣＣＤ１４１は、スライダユニットを介して入力される手置き原稿の画像をラインセンサにより光学的に読取り、光電変換した画像データを第１画像処理部４３に出力する。
【００９５】
本例においては、手置き原稿に対して、スライダユニットを用いて原稿の画像を読み取る画像読取を「手置読取」とも称する。
【００９６】
図５は、ＡＤＦ１５およびスキャナ１３の機能構成について説明する図である。
図５を参照して、ＡＤＦ１５は、ＡＤＦ制御部１６１と、それぞれがＡＤＦ制御部１６１に接続された第１〜第４駆動部６３，６５，６７，６９と、第１〜第４駆動部６３，６５，６７，６９にそれぞれ接続された第１〜第４パルスモータ６４，６６，６８，７０と、ＣＩＳ１２９とを含む。
【００９７】
スキャナ１３は、スキャナ制御部１５１と、それぞれがスキャナ制御部１５１に接続されたスライダ駆動部５３と、第１画像処理部１４３と、第２画像処理部１４５と、第１画像処理部１４３に接続されたＣＣＤ１４１とを含む。
【００９８】
スキャナ制御部１５１とＡＤＦ制御部１６１とは、互いに通信可能なように接続されている。また、ＣＩＳ１２９と、第２画像処理部１４５とは、互いに通信可能なように接続されている。
【００９９】
スキャナ制御部１５１とＡＤＦ制御部１６１とは、互いに通信することにより、原稿のサイズ情報、動作モード、原稿を読取るためのタイミング情報等の各種の制御情報等をやり取りする。
【０１００】
第１〜第４パルスモータ６４，６６，６８，７０は、第１〜第４駆動部６３，６５，６７，６９のそれぞれが出力するφ０〜φ３の４つの励磁信号により駆動される。
【０１０１】
一例として、給紙ローラ１１３、分離ローラ１１５、レジストローラ１１７、リードローラ対１１９、リード排出ローラ対１２１、排出ローラ対１２３、反転排出ローラ対１２２および排紙ローラ対１２５は、第１〜第４駆動部６３，６５，６７，６９にのいずれかにより駆動され、原稿を搬送するタイミングに応じて、回転速度や回転方向が別々に切換えられる。
【０１０２】
具体的には第１パルスモータ６４は、給紙ローラ１１３、分離ローラ１１５、レジストローラ１１７を回転駆動させる。第２パルスモータ６６は、リードローラ対１１９、リード排出ローラ対１２１、排出ローラ対１２３を回転駆動させる。第３パルスモータ６８は、排紙ローラ対１３０を回転駆動させる。第４パルスモータ７０は、反転排出ローラ対１２２を回転駆動させる。なお、本例においては、４つの駆動部およびモータを設けたローラ対等を駆動する場合について説明したが、さらに別の駆動部およびモータを設けてローラ対を制御するようにすることも可能である。
【０１０３】
ＭＦＰ１は、ＡＤＦ読取を行なう場合には、基本的には（後述する両面同時読取時の表面を除く）には、副走査方向の読取倍率の調整を、原稿の搬送速度を変えることにより行なう。制御部２０は、原稿が副走査設定倍率に対応する搬送速度で搬送されるように、第１〜第４パルスモータ６４，６６，６８，７０の駆動を制御する。
【０１０４】
具体的には、制御部２０がＡＤＦ制御部１６１に対して搬送速度を指示し、ＡＤＦ制御部１６１が、指示された搬送速度となるように第１〜第４駆動部６３，６５，６７，６９に対して駆動信号（φ０〜φ３）を出力する。第１〜第４駆動部６３，６５，６７，６９は駆動信号（φ０〜φ３）に応じて第１〜第４パルスモータ６４，６６，６８，７０を駆動し、第１〜第４パルスモータ６４，６６，６８，７０は、副走査設定倍率に対応する搬送速度で原稿が搬送されるように搬送ローラを駆動する。
【０１０５】
ＭＦＰ１は、手置読取を行なう場合には、副走査方向の読取倍率の調整を、スライダの移動速度を変えることにより行なう。そこで、制御部２０は、副走査設定倍率に対応する移動速度でスライダが移動するように、スライダモータ５５の駆動を制御する。
【０１０６】
具体的には、制御部２０がスキャナ制御部１５１に対して移動速度を指示し、スキャナ制御部１５１が、指示された移動速度となるようにスライダ駆動部５３に対して駆動信号（φ０〜φ３）を出力する。スライダ駆動部５３は駆動信号（φ０〜φ３）に応じてスライダモータ５５を駆動し、スライダモータ５５は、スライダが副走査設定倍率に対応する移動速度でスライダを移動する。
【０１０７】
第１画像処理部１４３は、ＣＣＤ１４１が原稿を読取って出力する読取画像が入力される。第１画像処理部１４３は、入力される読取画像に所定の画像処理を施してスキャナ制御部１５１に出力する。第２画像処理部１４５は、ＣＩＳ１２９が原稿を読取って出力する読取画像が入力される。第２画像処理部１４５は、入力される読取画像に所定の画像処理を施し、スキャナ制御部１５１に出力する。
【０１０８】
スキャナ制御部１５１は、入力される読取画像を、プリンタ１４に出力する。あるいは、外部インタフェースを介してそれに接続されたコンピュータあるいはメモリ等に出力することも可能である。
【０１０９】
図６は、第１および第２画像処理部の機能について説明する図である。
図６を参照して、第１画像処理部１４３は、画像入力部８１と、入力データ処理部８２と、ＳＨ補正部８３と、明度・色差分離部８４と、画像調整部８５と、色空間変換部８６と、圧縮伸張部８７とを含む。
【０１１０】
また、第２画像処理部１４５は、画像入力部１８１と、入力データ処理部１８２と、ＳＨ補正部１８３と、明度・色差分離部１８４と、画像調整部１８５と、色空間変換部１８６と、圧縮伸張部１８７とを含む。
【０１１１】
第１画像処理部１４３および第２画像処理部１４５とは構成が同一であるので、ここでは第１画像処理部１４３について説明する。
【０１１２】
画像入力部８１は、ＣＣＤ１４１から赤（Ｒ）、緑（Ｇ）および青（Ｂ）のそれぞれの画像データの入力を受ける。ＣＣＤ１４１は、赤（Ｒ）、緑（Ｇ）および青（Ｂ）の３つのラインセンサそれぞれに対応した画像データ（１読取ラインデータ）を画像入力部８１に出力する。すなわち、赤（Ｒ）、緑（Ｇ）および青（Ｂ）の３つのラインセンサそれぞれに対応した画像データが取得されるが、本例においては説明を簡易にするため１つのラインセンサの画像データについて主に説明する。
【０１１３】
入力データ処理部８２は、ＣＣＤ１４１から入力されるアナログ画像データをデジタルの画像データに変換する。当該入力データ処理部８２において、後述する電子変倍処理が実行されるものとする。電子変倍処理には、副走査方向の間引き処理、主走査方向の間引き処理・水増し処理が含まれる。
【０１１４】
ＳＨ補正部８３は、入力データ処理部８２から入力される画像データをシェーディング補正し、シェーディング補正後の画像データを明度・色差分離部８４に出力する。
【０１１５】
明度・色差分離部８４は、画像データを明度成分と色差成分とに分離し、それぞれを画像調整部８５に出力する。
【０１１６】
画像調整部８５は、シャープネス調整部８５Ａ、ＨＶＣ調整部８５Ｂおよび濃度補正部８５Ｃを含む。シャープネス調整部８５Ａは、画像を鮮明化または平滑化する処理を実行し、ＨＶＣ調整部８５Ｂは、画像の色相（Ｈ）、明度（Ｖ）および彩度（Ｃ）を調整する。
【０１１７】
濃度補正部８５Ｃは、画像の濃度を補正する。画像調整部８５は、処理したＲＧＢそれぞれの画像データを色空間変換部８６に出力する。
【０１１８】
色空間変換部８６は、画像データの色空間をＲＧＢ色空間からＬ＊ａ＊ｂ＊色空間に変換し、圧縮伸張部８７に出力する。圧縮伸張部８７は、画像データを圧縮し、圧縮した画像データをＲＡＭ等のメモリ９０に記憶する。また、圧縮伸張部８７は、メモリ９０に記憶された圧縮された画像データを伸張し、スキャナ制御部１５１に出力する。
【０１１９】
両面同時読取が行なわれると、第１画像処理部１４３により画像処理が施された表面の読取画像と、第２画像処理部１４５により画像処理が施された裏面の読取画像とが、メモリ９０に格納される。そして、メモリ９０から読み出されて伸張された、表面の読取画像と裏面の読取画像とがスキャナ制御部１５１に出力される。以下においては、表面の読取画像を表面読取画像と称し、裏面の読取画像を裏面読取画像とも称する。
【０１２０】
スキャナ制御部１５１は、第１画像処理部１４３と第２画像処理部１４５から入力された読取画像をプリンタ１４に出力する。そして、プリンタ１４において、一例として両面印刷が実行される。
【０１２１】
次に、本発明の実施の形態に従う搬送ローラＲ１〜Ｒ３の搬送速度の設定について説明する。
【０１２２】
図７は、ＭＦＰ１における、搬送ローラ間の搬送速度の違いに起因する副走査倍率のズレ及び、そのズレを補正するための補正係数について説明する図である。
【０１２３】
図７（Ａ）を参照して、ここでは、搬送ローラＲ１〜Ｒ３による原稿の搬送速度の比率（速度比）がそれぞれ示されている。搬送ローラＲ１〜Ｒ３の速度比は、１：１．００４：１．００８である。第１読取位置Ｌ１、第２読取位置Ｌ２で原稿のたるみが発生しないように、搬送路の下流に配置された搬送ローラほど原稿の搬送速度が大きくなっている。
【０１２４】
搬送ローラＲ１〜Ｒ３の速度比は、搬送ローラＲ１〜Ｒ３の外径比に依存する。具体的には、各搬送ローラＲ１〜Ｒ３の回転速度（１回転する速度）は同じであり、各搬送ローラの外径比に従って原稿の搬送速度の速度比が定まる。
【０１２５】
各搬送ローラＲ１〜Ｒ３の回転速度を同じにすることにより、１つのモータで搬送ローラＲ１〜Ｒ３を駆動することが可能となる。これにより、部品点数を削減することが可能である。本例においては、上述したように、第２パルスモータ６６により搬送ローラＲ１〜Ｒ３が駆動されるものとする。
【０１２６】
なお、搬送ローラによる原稿を搬送する力（搬送力）は、搬送ローラＲ１＞搬送ローラＲ２＞搬送ローラＲ３の関係である。原稿が、２つ以上の搬送ローラによって搬送されている状態では、搬送力が最も大きい搬送ローラが支配的となるため、原稿は搬送力が最も大きい搬送ローラの搬送速度で搬送される。
【０１２７】
以下に図４を参照しながら、搬送路における原稿の位置と、原稿の搬送速度について説明する。
【０１２８】
まず、原稿の先端が搬送ローラＲ１に到達すると、原稿は搬送ローラＲ１の搬送速度で搬送される。
【０１２９】
原稿の先端が搬送ローラＲ２に到達すると、原稿が搬送ローラＲ１とＲ２の両方にかかる状態となるが、搬送ローラＲ１の搬送力が搬送ローラＲ１よりも大きいため、原稿はＲ１の搬送速度で搬送され続ける。また、原稿の先端が搬送ローラＲ３に到達すると、原稿が搬送ローラＲ１、Ｒ２、Ｒ３にかかる状態となるが、搬送ローラＲ１の搬送力が最も大きいため、原稿は搬送ローラＲ１の搬送速度で搬送され続ける。
【０１３０】
原稿の後端が搬送ローラＲ１を抜けると、原稿は搬送ローラＲ２とＲ３にかかる状態となり、原稿は搬送力の大きい搬送ローラＲ２の搬送速度で搬送されることとなる。そして、原稿の後端が搬送ローラＲ２を抜けると、原稿は搬送ローラＲ３のみにかかる状態となり、原稿の後端が搬送ローラＲ３を抜けるまで、原稿は搬送ローラＲ３の搬送速度で搬送されることとなる。
【０１３１】
したがって、所定サイズの原稿を読み取った場合に、ＣＣＤ１４１の第１読取位置Ｌ１における原稿の搬送速度（の平均値）に対して、ＣＩＳ１２９の第２読取位置Ｌ２における原稿搬送速度（の平均値）の方が所定割合速いことになる。すなわち、第１読取位置Ｌ１と第２読取位置Ｌ２との間で原稿の搬送速度の差が生じていることになる。
【０１３２】
図７（Ａ）を参照して、搬送ローラＲ１、Ｒ２、Ｒ３は、それぞれ、搬送路における搬送ローラＲ１−Ｒ２間の距離が１００ｍｍ、搬送ローラＲ２−Ｒ３間の距離が３０ｍｍとなるように設置されている。
【０１３３】
なお、以下においては、ＡＤＦ読取で片面を読み取ることを、ＡＤＦ片面読取といい、ＡＤＦ読取で両面を読み取ることを、両面同時読取という。つまり、手置読取と、ＡＤＦ読取における片面読取においてはいずれも原稿の片面が読み取られるが、前者を「手置読取」、後者を「ＡＤＦ片面読取」と表現して区別するものとする。
【０１３４】
＜ＡＤＦ片面読取＞
まず、ＡＤＦ片面読取の場合の搬送ローラの搬送速度について説明する。なお、以下において、特に説明がない限り、主走査設定倍率と副走査設定倍率は等倍（１．０００倍）が設定されているものとする。
【０１３５】
ＡＤＦ片面読取の場合には、副走査方向の読取倍率の調整は、原稿の搬送速度を変えることにより行なう。一方で、ＣＣＤ１４１の主走査方向の１ラインあたりの走査周期（Ｔａ）は固定値（一定）である。従って、副走査方向の読取倍率を等倍にするためには、原稿の搬送速度を、ＣＣＤ１４１の主走査方向の１ラインあたりの走査周期（Ｔａ）のうちに、ＣＣＤ１４１の読取解像度である６００ｄｐｉの１画素幅（約０．０４２ｍｍ）だけ進める速度に設定すればよい。このように、副走査方向に等倍の画像を読み取るための原稿の搬送速度（Ｖｒ０）は理論的に求めることができる。以下において、副走査方向に等倍の画像を読み取るための原稿の搬送速度（Ｖｒ０）のことを基準搬送速度Ｖｒ０とも称することとする。
【０１３６】
ＭＦＰ１は、副走査方向に等倍の画像を読み取る場合は、基準搬送速度Ｖｒ０で原稿を搬送し、ＣＣＤ１４１により画像を読み取る。例えばＡ４Ｌ（主走査方向２９７ｍｍ×副走査方向２１０ｍｍ、以下、単に主２９７ｍｍ×副２１０ｍｍのように記載する）の大きさの原稿を読み取ると、読取画像の副走査方向の画素数は、２１０ｍｍに対応する約４９６０画素（２１０ｍｍを６００ｄｐｉの１画素幅で除算した値）となる。なお、以下においては、便宜上、読取画像の大きさを、画素数を解像度（６００ｄｐｉ）に基づいて換算した長さ（ｍｍ）を用いて表現する。
【０１３７】
原稿の搬送速度は、副走査設定倍率と基準搬送速度Ｖｒ０とに基づいて決定される。具体的には、式（１）に示すように、基準搬送速度Ｖｒ０を副走査設定倍率で除算することにより、副走査設定倍率に対応する原稿搬送速度を決定する。
【０１３８】
原稿の搬送速度（Ｖｒ１）＝（基準搬送速度Ｖｒ０）÷（副走査設定倍率）  ・・・式（１）
例えば、副走査設定倍率が等倍の場合は、原稿の搬送速度（Ｖｒ１）を基準搬送速度Ｖｒ０に決定する。副走査設定倍率が２倍の場合は、原稿の搬送速度を基準搬送速度Ｖｒ０の１／２に決定する。これにより、ＣＣＤ１４１による読取画像の副走査方向の倍率は２倍となる。副走査設定倍率が他の場合も同様である。
【０１３９】
なお、第１読取位置Ｌ１における原稿の搬送速度は、原稿の後端が搬送ローラＲ１を抜ける前（搬送ローラＲ１による搬送速度）と、原稿の後端が搬送ローラＲ１を抜けた後（搬送ローラＲ２による搬送速度）とで変化する。しかし、第１読取位置Ｌ１は、一般的に搬送ローラＲ１とのごく近くに配置されるため、搬送ローラＲ２による搬送速度で搬送される部分については無視できるものとする。
【０１４０】
このように、ＡＤＦ片面読取の場合には、原稿の搬送速度を変えることにより副走査設定倍率に応じた読取画像を得ることができる。
【０１４１】
＜両面同時読取＞
次に、両面同時読取の場合の原稿の搬送速度について説明する。
【０１４２】
前述のように、第２読取位置Ｌ２における原稿の搬送速度は、原稿を搬送する搬送ローラによる搬送速度に依存する。
【０１４３】
具体的には、原稿は、原稿の後端が搬送ローラＲ１を抜けきるまで搬送ローラＲ１による搬送速度で搬送され、原稿の後端が搬送ローラＲ１を抜けきると、搬送ローラＲ２による搬送速度で搬送される。その後、原稿の後端が搬送ローラＲ２を抜けきるまで搬送ローラＲ２による搬送速度で搬送され、原稿の後端が搬送ローラＲ２を抜けきると、搬送ローラＲ３による搬送速度で搬送される。
【０１４４】
原稿サイズそれぞれについて、搬送ローラＲ１による搬送速度で搬送される距離（長さ）、搬送ローラＲ２による搬送速度で搬送される長さ、搬送ローラＲ３による搬送速度で搬送される長さを求めると、図７（Ｂ）に示されたとおりとなる。
【０１４５】
具体的には、原稿サイズがＡ３（主２９７×副４２０ｍｍ）の場合には、搬送ローラＲ１の搬送速度で搬送される長さは２９０ｍｍ、搬送ローラＲ２の搬送速度で搬送される長さは１００ｍｍ、搬送ローラＲ３の搬送速度で搬送される長さは３０ｍｍとなる。
【０１４６】
また、同様に、原稿サイズがＡ４Ｓ（主２１０×副２９７ｍｍ）の場合には、搬送ローラＲ１の搬送速度で搬送される長さは１６７ｍｍ、搬送ローラＲ２の搬送速度で搬送される長さは１００ｍｍ、搬送ローラＲ３の搬送速度で搬送される長さは３０ｍｍとなる。
【０１４７】
また、同様に、原稿サイズがＡ４Ｌ（主２９７×副２１０ｍｍ）の場合には、搬送ローラＲ１による搬送速度で搬送される長さは８０ｍｍ、搬送ローラＲ２による搬送速度で搬送される長さは１００ｍｍ、搬送ローラＲ３による搬送速度で搬送される長さは３０ｍｍとなる。
【０１４８】
また、同様に、原稿種類がＡ５Ｌ（主２１０×副１４９ｍｍ）の場合には、搬送ローラＲ１による搬送速度で搬送される長さは１９ｍｍ、搬送ローラＲ２による搬送速度で搬送される長さは１００ｍｍ、搬送ローラＲ３による搬送速度で搬送される長さは３０ｍｍとなる。
【０１４９】
また、同様に、原稿種類がはがき（主１４９×副１０５ｍｍ）の場合には、搬送ローラＲ１による搬送速度で搬送される長さは０ｍｍ、搬送ローラＲ２による搬送速度で搬送される長さは７５ｍｍ、搬送ローラＲ３による搬送速度で搬送される長さは３０ｍｍとなる。
【０１５０】
なお、第２読取位置Ｌ２における、それぞれの搬送ローラによる搬送速度で搬送される長さは、搬送ローラＲ２、Ｒ３と第２読取位置Ｌ２との位置関係によって変わる。図７（Ｂ）においては、一例として、第１読取位置Ｌ１における搬送速度と第２読取位置Ｌ２における搬送速度とが最大となる場合について記載している。
【０１５１】
原稿種類がＡ３の場合、副走査方向の原稿の長さである４２０ｍｍのうち、１００ｍｍが、搬送ローラＲ１よりも搬送速度の速い搬送ローラＲ２による搬送速度で搬送され、３０ｍｍは、搬送速度のさらに速い搬送ローラＲ３による搬送速度で搬送される。
【０１５２】
それゆえ、副走査方向の原稿の長さのうち、搬送ローラＲ２、Ｒ３による搬送速度で搬送される長さに関しては、基準搬送速度Ｖｒ０よりも速く原稿が搬送されるため、ＣＩＳ１２９による読取画像の副走査方向の長さ（裏面副走査読取長）は、本来の副走査方向の原稿の長さよりも短くなる。
【０１５３】
よって、原稿を基準搬送速度Ｖｒ０で搬送し、ＣＩＳ１２９にて原稿の裏面を読み取ると、原稿サイズがＡ３の場合には裏面副走査読取長は４１９．４ｍｍとなる。原稿サイズがＡ４Ｓの場合には、裏面副走査読取長は２９６．４ｍｍとなる。原稿サイズがＡ４Ｌの場合には、裏面副走査読取長は２０９．４ｍｍとなる。原稿種類がＡ５Ｓの場合には、裏面副走査読取長は１４８．４ｍｍとなる。原稿種類がはがきの場合には、裏面副走査読取長は１０４．５ｍｍとなる。
【０１５４】
このように、ＣＩＳ１２９の第２読取位置Ｌ２における搬送速度が、ＣＣＤ１４１の第１読取位置Ｌ１における搬送速度よりも速いことに起因して、裏面副走査読取長がＣＣＤ１４１による読取画像の副走査方向の長さ（表面副走査読取長）よりも短くなる。
【０１５５】
これを倍率に換算して考えると、ＣＩＳ１２９による読取画像の副走査方向の倍率（裏面副走査読取倍率）は、原稿サイズがＡ３の場合には、９９．８５％となる。
【０１５６】
原稿サイズがＡ４Ｓの場合には裏面副走査読取倍率は９９．７９％となる。原稿サイズがＡ４Ｌの場合には裏面副走査読取倍率は９９．７０％となる。同様に、原稿サイズがＡ５Ｓの場合には裏面副走査読取倍率は９９．５７％となる。また、原稿サイズがはがきの場合には裏面副走査読取倍率は９９．４９％となる。
【０１５７】
図８は、原稿の副走査方向の長さと裏面副走査読取倍率との関係を示すグラフである。
図８に示されるように、原稿の副走査方向の長さが短いほど裏面副走査読取倍率が小さくなる。すなわち、原稿の副走査方向の長さが小さいほど、裏面読取画像は、本来の原稿サイズよりも副走査方向に縮小されて読み取られる。
【０１５８】
本実施の形態においては、上述したＣＩＳ１２９による読取画像が副走査方向に縮小されることに対応して、両面同時読取の場合に、裏面副走査方向の倍率が等倍になるように、副走査設定倍率を補正し、補正した副走査設定倍率に基づいて原稿の搬送速度を変える。以下に補正の内容を説明する。
【０１５９】
（１．原稿サイズがＡ４Ｌの場合の補正）
まず、Ａ４Ｌ（主２９７×副２１０ｍｍ）を基準となる原稿（以下、基準原稿とも称する）として、原稿サイズがＡ４Ｌである場合の補正の内容について説明する。
【０１６０】
図９は、Ａ４Ｌの原稿を両面同時読取する場合における、搬送ローラの搬送速度と読取画像のサイズの関係を説明する図である。
【０１６１】
図９を参照して、原稿を基準搬送速度Ｖｒ０で搬送すると、前述のように、裏面副走査読取長は２０９．４ｍｍとなる。すなわち、裏面読取画像は副走査方向に縮小される。この場合の裏面副走査読取倍率は２０９．４／２１０＝９９．７０％である。
【０１６２】
そこで、裏面副走査読取倍率を等倍に補正するための補正係数（裏面副走査補正係数ε）を算出すると、１．００３（＝１００／９９．７）となる。なお、以下において、基準原稿（Ａ４Ｌ）における裏面副走査補正係数をε０とも称する。
【０１６３】
両面同時読取の場合には、裏面副走査補正係数ε０に基づいて副走査設定倍率を補正し、裏面副走査倍率補正値を算出する。そして、その裏面副走査倍率補正値に基づいて原稿の搬送速度を決定する。
【０１６４】
具体的には、裏面副走査倍率補正値を式（２）により求める。
裏面副走査倍率補正値＝（副走査設定倍率）×（裏面副走査補正係数ε）・・・式（２）
副走査設定倍率が等倍である場合には、裏面副走査倍率補正値は、ε０と同じ値、つまり、１．００３となる。
【０１６５】
そして、式（２）により求めた裏面副走査倍率補正値を式（３）に代入することにより原稿の搬送速度を決定する。
【０１６６】
原稿の搬送速度（Ｖｒ１）＝（基準搬送速度Ｖｒ０）÷（裏面副走査倍率補正値）  ・・・式（３）
すなわち、原稿の搬送速度は、基準搬送速度Ｖｒ０よりも少し遅く決定される。これにより、裏面副走査読取倍率を等倍とすることができる。その結果、裏面副走査読取長は２１０ｍｍとなる。
【０１６７】
一方で、裏面読取画像を等倍にするために原稿を基準搬送速度Ｖｒ０よりも遅く搬送すると、ＣＣＤ１４１による読取画像（表面読取画像）の副走査読取倍率（表面副走査読取倍率）は等倍よりも大きくなる。具体的には、表面副走査読取倍率が１．００３となる。
【０１６８】
そこで、ＣＣＤ１４１による読取画像に対する副走査方向の倍率補正値（表面副走査倍率補正値）を、式（４）により算出する。
【０１６９】
表面副走査倍率補正値＝（副走査設定倍率）／（裏面副走査補正係数ε）・・・式（４）
つまり、裏面副走査読取倍率を等倍にするために基準搬送速度Ｖｒ０を遅くした分（拡大された分）だけ、画像を元に戻す（縮小する）ように、表面読取画像に対する倍率を補正する。
【０１７０】
そして、算出された表面副走査倍率補正値に応じた副走査方向の電子変倍処理（間引き処理）を、表面読取画像に対して行なう。
【０１７１】
以上のように、両面同時読取の場合は、裏面副走査読取倍率が等倍になるような原稿の搬送速度とすることにより、裏面読取画像については副走査方向に電子変倍することなく等倍の画像を得ることができる。また、表面読取画像については副走査方向に電子間引きすることにより等倍の画像を得ることができる。
【０１７２】
（２．原稿サイズがＡ４Ｌ以外の場合の補正）
以下に、基準原稿（Ａ４Ｌ）以外の原稿に対する補正の内容について説明する。
【０１７３】
まず、原稿サイズそれぞれの裏面副走査読取倍率についての、基準原稿（Ａ４Ｌ）での裏面副走査読取倍率に対する比率を求める。
【０１７４】
具体的には、Ａ３の裏面副走査読取倍率は９９．８５％であり、Ａ４Ｌの裏面副走査読取倍率は９９．７０％であるため、Ａ３とＡ４Ｌとの裏面副走査読取倍率の比率は、１００．１５％である。つまり、これは、Ａ４Ｌの裏面副走査読取倍率が等倍となるような搬送速度で原稿を搬送すると、Ａ３の裏面副走査読取倍率は１００．１５％となることを意味する。
【０１７５】
また、Ａ４Ｓの裏面副走査読取倍率は９９．７９％であり、Ａ４Ｌの裏面副走査読取倍率は９９．７０％であるため、Ａ４ＳとＡ４Ｌとの裏面副走査読取倍率の比率は、１００．０９％である。他の原稿サイズについても同様に算出することができる。
【０１７６】
このように、基準搬送速度Ｖｒ０を、基準原稿（Ａ４Ｌ）の裏面副走査補正係数ε０で補正すると、基準原稿（Ａ４Ｌ）での裏面副走査読取倍率は等倍になるが、基準原稿（Ａ４Ｌ）以外の原稿サイズでの裏面副走査読取倍率は等倍とはならない。これは、副走査方向の原稿の全長に対する、搬送ローラＲ２による搬送速度で搬送される長さおよび搬送ローラＲ３による搬送速度で搬送される長さの比率が、原稿サイズごとに異なるためである。
【０１７７】
そこで、前述した、原稿サイズそれぞれについての、Ａ４Ｌとの裏面副走査読取倍率の比率に基づいて、Ａ４Ｌ以外の原稿サイズにおいても裏面読取画像が等倍となるように、副走査設定倍率を補正する。
【０１７８】
具体的には、前述した、Ａ４Ｌとの裏面副走査読取倍率の比率の逆数を補正係数（サイズ依存補正係数α）として用いる。
【０１７９】
原稿サイズＡ３は、Ａ４Ｌに対する裏面副走査読取倍率の比率が１００．１５％であるからサイズ依存補正係数αは９９．８５％（＝１００／１００．１５）となる。同様に、原稿サイズＡ４Ｌは、Ａ４Ｌとの裏面副走査読取倍率の比率が１００．０９％であるから、サイズ依存補正係数αは、９９．９１％（１００／１００．０９）となる。他の原稿サイズについても同様に算出することができる。
【０１８０】
両面同時読取する場合には、まず、式（５）のように、裏面副走査補正係数ε０と原稿サイズに対応するサイズ依存補正係数αとに基づいて副走査設定倍率を補正して裏面副走査倍率補正値を求める。
【０１８１】
裏面副走査倍率補正値＝（副走査設定倍率）×（裏面副走査補正係数ε０）×（原稿サイズに対応するサイズ依存補正係数α）・・・式（５）
そして、式（５）で求めた裏面副走査倍率補正値を式（３）に代入し、原稿の搬送速度（Ｖｒ１）を決定する。
【０１８２】
このように、副走査補正係数ε０に加え、原稿サイズに対応するサイズ依存補正係数αを用いて副走査設定倍率を補正することにより、原稿サイズが基準原稿（Ａ４Ｌ）以外の場合にも、裏面副走査読取倍率を等倍にすることができる。
【０１８３】
しかし、以上のように、裏面副走査読取倍率が等倍となるように原稿の搬送速度（Ｖｒ１）を決定すると、基準原稿Ａ４Ｌの場合と同様に、表面副走査読取倍率は等倍とはならない。
【０１８４】
そこで、表面副走査倍率補正値を、式（６）により算出し、算出された表面副走査倍率補正値に応じた副走査方向の間引き処理を、表面読取画像に対して行なう。
【０１８５】
表面副走査倍率補正値＝（副走査設定倍率）／（裏面副走査補正係数ε０）／（原稿サイズに対応するサイズ依存補正係数α）・・・式（６）
以上のように、基準原稿（Ａ４Ｌ）以外の原稿を両面同時読取する場合には、サイズに応じた補正係数いいかえるならばサイズのばらつきを補正するための補正係数（サイズ依存補正係数α）により裏面副走査読取倍率を補正し、裏面副走査読取倍率が等倍になるような原稿の搬送速度を設定することにより、裏面読取画像については副走査方向に電子変倍することなく等倍の画像を得ることができる。また、表面読取画像については副走査方向に電子間引きすることにより等倍の画像を得ることができる。
【０１８６】
なお、基準原稿（Ａ４Ｌ）における両面原稿を読み取る場合における倍率補正値ε０と、原稿サイズそれぞれに対応するサイズ依存補正係数αは、データテーブルとして予めＲＯＭ３０に格納されている。なお、図８に示すグラフを近似式としてＲＯＭ３０に格納しておき、原稿サイズ（原稿の副走査方向の長さ）をその近似式に代入することにより、サイズ依存補正係数αを算出するようにしても良い。
【０１８７】
（３．機差ばらつきが存在する場合の補正）
上記においては、ＣＣＤ１４１，ＣＩＳ１２９等の部品の取り付け位置等の機差ばらつきがないものとして、両面同時読取した場合の表面副走査読取倍率と裏面副走査読取倍率とを等倍に補正する方法について説明した。
【０１８８】
一方で、ＭＦＰ１においては、一般的に、ＣＣＤ１４１，ＣＩＳ１２９等の部品の取り付け位置等に機差ばらつきがあり、その機差ばらつきに起因して各装置毎に読取倍率にもばらつきが生じる。従って、その機差ばらつきに起因する読取倍率のばらつきを補正するための処理が必要となる。
【０１８９】
以下に、機差ばらつきを考慮した補正の内容について説明する。
まず、（ｉ）機差ばらつきに起因する読取倍率のばらつきを補正するための補正係数について説明する。そして、次に、（ｉｉ）当該補正係数を用いた補正処理について説明する。
【０１９０】
（ｉ）  機差ばらつきを補正するための補正係数
ＭＦＰ１では、機差ばらつきに起因する読取倍率のばらつきを補正するための補正係数として、機差補正係数βを用いる。機差補正係数βは、ＭＦＰ１で実際に読み取られた読取画像に基づいて算出される補正係数であり、ＭＦＰ１が製造される際（出荷される前）に算出され、予めＲＯＭ３０に格納される。
【０１９１】
以下に、機差補正係数βを算出する方法について説明する。
図１０は、機差補正係数βを算出する方法を説明するフローチャートである。
【０１９２】
機差ばらつきは、手置読取でのＣＣＤ１４１による読取に関する機構（例えば、反射ミラー１３７Ａ，１３７Ｂ，１３７Ｃ等のスライダユニットや、スライダモータ、レンズ１３９等）、ＡＤＦ読取でのＣＣＤ１４１による読取に関する機構（例えば、搬送ローラＲ１、反射ミラー１３７Ａ，１３７Ｂ，１３７Ｃと、レンズ１３９等）、ＡＤＦ読取でのＣＩＳ１２９による読取に関する機構（例えば、搬送ローラＲ２等）それぞれにおいて発生する。なお、個々で挙げられている機構は一例であり、他の要素においても機差ばらつきの原因となる。
【０１９３】
したがって、手置読取でのＣＣＤ１４１による読取（手置読取）、ＡＤＦ片面読取または両面同時読取でのＣＣＤ１４１による読取（ＡＤＦ表面読取）、両面同時読取でのＣＩＳ１２９による読取（ＡＤＦ裏面読取）、それそれに対応する機差補正係数βを算出する必要がある。
【０１９４】
図１０を参照して、まず、手置読取に関する機差補正係数βの算出処理を実行する（ステップＳ２）。処理内容の詳細は後述する。
【０１９５】
そして、次に、ＡＤＦ表面読取に関する機差補正係数βの算出処理を実行する（ステップＳ４）。処理内容の詳細は後述する。
【０１９６】
次に、ＡＤＦ裏面読取に関する機差補正係数βの算出処理を実行する（ステップＳ６）。処理内容の詳細は後述する。そして、処理を終了する（エンド）。
【０１９７】
（ｉ−１）  手置読取に関する機差補正係数
図１１は、図１０のフローチャートのステップＳ２における、手置読取に関する機差補正係数βの算出処理について説明する図である。なお、手置読取、ＡＤＦ表面読取、ＡＤＦ裏面読取、いずれに関する機差補正係数βについても、基準原稿（Ａ４Ｌ）を用いて算出処理を行なう。
【０１９８】
図１１を参照して、まず、スライダ搬送速度として、基準搬送速度Ｖｒ０を設定する（ステップＳ１０）。
【０１９９】
そして、Ａ４Ｌサイズのテストチャートをプラテンガラス１３２に載置し、テストチャートの画像読取（読取テスト）を行なう（ステップＳ１２）。テストチャートには、例えば、Ａ４Ｌサイズよりも少し小さめの矩形パターン（テストパターン）が印刷されたものを用いる。
【０２００】
そして、テストチャートの読取画像におけるテストパターンの主走査方向および副走査方向の長さを測定する（ステップＳ１４）。
【０２０１】
次に、測定結果に基づき、手置読取時の主走査方向の補正係数β（Ｍ０）と、手置読取時の副走査方向の補正係数β（Ｓ０）とを算出する（ステップＳ１６）。以下において、手置読取時の主走査方向の補正係数β（Ｍ０）を手置主走査補正係数β（Ｍ０）といい、手置読取時の副走査方向の補正係数β（Ｓ０）を手置副走査補正係数β（Ｓ０）という。また、手置主走査補正係数β（Ｍ０）と手置副走査補正係数β（Ｓ０）とを総称して手置補正係数とも称する。
【０２０２】
手置主走査補正係数β（Ｍ０）は、テストパターンの主走査方向の幅の測定値と、テストパターンの主走査方向の本来の幅とに基づき算出される。具体的には、手置主走査補正係数β（Ｍ０）は式（７）により算出される。
【０２０３】
手置主走査補正係数β（Ｍ０）＝（主走査方向の本来の幅）／（主走査方向の幅の測定値）・・・式（７）
つまり、手置主走査補正係数β（Ｍ０）は、テストパターンの主走査方向の幅が本来の幅よりも大きい場合、すなわち主走査読取倍率が等倍よりも大きい場合には１．０００よりも小さな値となり、テストパターンの主走査方向の幅が本来の幅よりも小さい場合、すなわち主走査読取倍率が等倍よりも小さい場合には１．０００よりも大きな値となる。
【０２０４】
また、手置副走査補正係数β（Ｓ０）は、テストパターンの副走査方向の幅の測定値と、テストパターンの副走査方向の幅の本来の値とに基づき算出される。具体的には、手置副走査補正係数β（Ｓ０）は式（８）により算出される。
【０２０５】
手置副走査補正係数β（Ｓ０）＝（本来の副走査方向の幅）／（副走査方向の幅の測定値）・・・式（８）
そして、ＲＯＭ３０に手置補正係数β（Ｍ０），β（Ｓ０）を登録し（ステップＳ１８）、手置補正係数βの算出処理を終了する（リターン）。
【０２０６】
図１２は、図１１に示すフローチャートのステップＳ１２で読み取られるテストチャートの読取画像の一例を示す。テストチャートに印刷されたテストパターンは、前述のように、Ａ４Ｌサイズよりも少し小さめの矩形パターンである。しかし、図１２においては、便宜上、テストパターンをＡ４Ｌサイズと同じ大きさとしている。
【０２０７】
図１２を参照して、機差ばらつきが生じていない理想的な状態のテストチャートの読取画像と、機差ばらつきが生じている場合のテストチャートの読取画像とが示されている。
【０２０８】
機差ばらつきが生じている場合のテストチャートの読取画像の一例として、Ａ４Ｌ（主２９７ｍｍ×副２１０ｍｍ）のテストパターンが、主２９７．２ｍｍ×副２１０．２ｍｍの大きさで読み取られた場合を示している。
【０２０９】
この場合に、手置主走査補正係数β（Ｍ０）は、主走査方向の本来の幅（２９７ｍｍ）と主走査方向の幅の測定値（２９７．２ｍｍ）とを式（７）に代入することにより、下記のように算出される。
【０２１０】
β（Ｍ０）＝０．９９９＝２９７／２９７．２
また、手置副走査補正係数β（Ｓ０）は、副走査方向の本来の幅（２１０ｍｍ）と主走査方向の幅の測定値（２１０．２）とを式（８）に代入することにより、下記のように算出される。
【０２１１】
β（Ｓ０）＝０．９９９＝２１０／２１０．２
なお、機差ばらつきが生じていない理想的な場合には、β（Ｍ０）とβ（Ｓ０）の値はいずれも１．０００となる。
【０２１２】
（ｉ−２）  ＡＤＦ表面読取に関する機差補正係数
図１３は、図１０のフローチャートのステップＳ４における、ＡＤＦ表面読取に関する機差補正係数βの算出処理について説明する図である。ＡＤＦ表面読取に関する機差補正係数βの算出処理は、基本的には、図１１に示す手置補正係数βの算出処理と同様の内容である。
【０２１３】
図１３を参照して、まず、搬送ローラの搬送速度として、基準搬送速度Ｖｒ０を設定する（ステップＳ２０）。
【０２１４】
そして、前述のテストチャートを原稿トレイ１７に載置に載置し、ＡＤＦ片面読取で画像読取（読取テスト）を行なう（ステップＳ２２）。
【０２１５】
そして、テストチャートの読取画像におけるテストパターンの主走査方向および副走査方向の長さを測定する（ステップＳ２４）。
【０２１６】
次に、測定結果に基づき、ＡＤＦ表面読取時の主走査方向の補正係数β（Ｍ１）と、ＡＤＦ表面読取時の副走査方向の補正係数β（Ｓ１）とを算出する（ステップＳ２６）。以下において、ＡＤＦ表面読取時の主走査方向の補正係数β（Ｍ１）を表面主走査補正係数β（Ｍ１）といい、ＡＤＦ表面読取時の副走査方向の補正係数β（Ｓ１）を表面副走査補正係数β（Ｓ１）という。また、表面主走査補正係数β（Ｍ１）と表面副走査補正係数β（Ｓ１）とを総称して表面補正係数とも称する。
【０２１７】
表面主走査補正係数β（Ｍ１）は、手置読取時と同様に、式（９）により算出される。
表面主走査補正係数β（Ｍ１）＝（主走査方向の本来の幅）／（主走査方向の幅の測定値）・・・式（９）
また、表面副走査補正係数β（Ｓ１）は、手置読取時と同様に、は式（１０）により算出される。
【０２１８】
表面副走査補正係数β（Ｓ１）＝（副走査方向の本来の幅）／（副走査方向の幅の測定値）・・・式（１０）
そして、ＲＯＭ３０に表面補正係数β（Ｍ１），β（Ｓ１）を登録し（ステップＳ２８）、表面補正係数βの算出処理を終了する（リターン）。
【０２１９】
なお、表面主走査補正係数β（Ｍ１）と表面副走査補正係数β（Ｓ１）についての、補正値を算出する際の考え方は、図１２を用いて説明した手置主走査補正係数β（Ｍ０）と手置副走査補正係数β（Ｓ０）と同様であるためその説明は省略する。
【０２２０】
（ｉ−３）  ＡＤＦ裏面読取に関する機差補正係数
図１４は、図１０のフローチャートのステップＳ６における、ＡＤＦ裏面読取に関する機差補正係数βの算出処理について説明する図である。ＡＤＦ裏面読取に関する機差補正係数βの算出処理は、基本的には、図１１に示す手置補正係数βの算出処理と同様の内容である。
【０２２１】
図１４を参照して、まず、搬送ローラの搬送速度として、基準搬送速度Ｖｒ０を設定する（ステップＳ３０）。
【０２２２】
そして、前述のテストパターンが裏面となるように、テストチャートを原稿トレイ１７に載置し、両面同時読取で画像読取（読取テスト）を行なう。（ステップＳ３２）。そして、本読取テストにおいては、ＣＩＳ１２９による読取画像、すなわち裏面読取画像を取得する。
【０２２３】
そして、テストチャートの裏面読取画像におけるテストパターンの主走査方向および副走査方向の長さを測定する（ステップＳ３４）。なお、ここで測定される長さは、機差ばらつきだけでなく、上述した、ＣＣＤ１４１の第１読取位置Ｌ１と、ＣＩＳ１２９の第２読取位置Ｌ２とにおける搬送速度の差に起因する副走査読取倍率の差異の影響も含むものである。
【０２２４】
次に、測定結果に基づき、ＡＤＦ裏面読取時の主走査方向の補正係数β（Ｍ２）と、ＡＤＦ裏面読取時の副走査方向の補正係数β（Ｓ２）とを算出する（ステップＳ３６）。以下において、ＡＤＦ裏面読取時の主走査方向の補正係数β（Ｍ２）を裏面主走査補正係数β（Ｍ２）といい、ＡＤＦ裏面読取時の副走査方向の補正係数β（Ｓ２）を裏面副走査補正係数β（Ｓ２）という。また、裏面主走査補正係数β（Ｍ２）と裏面副走査補正係数β（Ｓ２）とを総称して裏面補正係数とも称する。
【０２２５】
裏面主走査補正係数β（Ｍ２）は式（１１）により算出される。
裏面主走査補正係数β（Ｍ２）＝（本来の主走査方向の幅）／（主走査方向の幅の測定値）・・・式（１１）
また、裏面副走査補正係数β（Ｓ２）は式（１２）により算出される。
【０２２６】
裏面副走査補正係数β（Ｓ２）＝（本来の副走査方向の幅）／（副走査方向の幅の測定値）・・・式（１２）
そして、ＲＯＭ３０に裏面補正係数β（Ｍ２），β（Ｓ２）を登録する（ステップＳ３８）。そして、裏面補正係数βの算出を終了する（リターン）。
【０２２７】
図１５は、図１４に示すフローチャートのステップＳ３２で読み取られるテストチャートの読取画像の一例を示す。なお、図１２の場合と同様に、便宜上、テストパターンをＡ４Ｌサイズと同じ大きさとしている。
【０２２８】
図１５を参照して、機差ばらつきが生じていない理想的な状態でのテストチャートの読取画像と、機差ばらつきが生じている場合のテストチャートの読取画像とが示されている。
【０２２９】
機差ばらつきが生じていない理想的な状態では、Ａ４Ｌ（主２９７ｍｍ×副２１０ｍｍ）のテストパターンが、主２９７．０ｍｍ×副２０９．４ｍｍの大きさで読み取られる。これは、前述したように、ＣＣＤ１４１の第１読取位置Ｌ１における原稿の搬送速度と、ＣＩＳ１２９の第２読取位置Ｌ２における原稿搬送速度の違いに起因するものである。
【０２３０】
この場合に、裏面副走査補正係数β（Ｓ２）は、副走査方向の本来の幅（２１０ｍｍ）と副走査方向の幅の測定値（２０９．４ｍｍ）とを式（１２）に代入することにより、下記のように算出される。
【０２３１】
β（Ｓ２）＝１．００３＝２１０／２０９．４
裏面補正係数β（Ｓ２）は、機差ばらつきがない状態では１．００３となる。
【０２３２】
一方、図１５を参照して、機差ばらつきが生じている場合のテストチャートの読取画像の一例として、Ａ４Ｌ（主２９７ｍｍ×副２１０ｍｍ）のテストパターンが、主２９７．２ｍｍ×副２０９．６ｍｍの大きさで読み取られた場合が示されている。
【０２３３】
この場合に、裏面主走査補正係数β（Ｍ２）は、主走査方向の本来の幅（２９７ｍｍ）と主走査方向の幅の測定値（２９７．２ｍｍ）とを式（１１）に代入することにより、下記のように算出される。
【０２３４】
β（Ｍ２）＝０．９９９＝２９７／２９７．２
また、裏面副走査補正係数β（Ｓ２）は、副走査方向の本来の幅（２１０ｍｍ）と副走査方向の幅の測定値（２０９．６）とを式（１２）に代入することにより、下記のように算出される。
【０２３５】
β（Ｓ２）＝１．００２＝２１０／２０９．６
なお、機差ばらつきが生じている場合の裏面の副走査補正係数β（Ｓ２）には、ＣＩＳ１２９による読取に関する機構の機差ばらつきの影響だけでなく、ＣＣＤ１４１の第１読取位置Ｌ１における原稿の搬送速度とＣＩＳ１２９の第２読取位置Ｌ２における原稿搬送速度の違いの影響も含む。
【０２３６】
図１６は、図１０に示す出荷時パラメータの設定処理に従ってＲＯＭ３０に登録された補正係数について説明する図である。
【０２３７】
図１６（Ａ）を参照して、ＲＯＭ３０には、手置主走査補正係数β（Ｍ０）および手置副走査補正係数β（Ｓ０）が登録される。
【０２３８】
手置補正係数は、手置読取に関する機差ばらつきに起因する読取倍率のばらつきを補正するためのものであり、手置読取による読取画像に対する倍率補正に用いられる。
【０２３９】
図１６（Ｂ）を参照して、ＲＯＭ３０には、表面主走査補正係数β（Ｍ１）および表面副走査補正係数β（Ｓ１）が登録される。
【０２４０】
表面補正係数は、ＡＤＦ読取での表面画像の読取に関する機差ばらつきに起因する読取倍率のばらつきを補正するためのものであり、ＡＤＦ読取での表面読取画像に対する倍率補正に用いられる。
【０２４１】
図１６（Ｃ）を参照して、ＲＯＭ３０には、裏面主走査補正係数β（Ｍ１）および裏面副走査補正係数β（Ｓ１）が登録される。
【０２４２】
裏面補正係数は、ＡＤＦ読取での裏面画像の読取に関する機差ばらつきに起因する読取倍率のばらつきを補正するためのものであり、ＡＤＦ読取での裏面読取画像に対する倍率補正に用いられる。
【０２４３】
（ｉｉ）  機差補正係数を用いた補正処理
以下に、機差ばらつきを考慮した補正処理の内容について説明する。
【０２４４】
（ｉｉ−１）  手置読取に関する補正処理
手置読取時には、手置主走査補正係数β（Ｍ０）と、手置副走査補正係数β（Ｓ０）とを用いて、主走査設定倍率および副走査設定倍率の補正が行なわれる。
【０２４５】
手置読取の場合には、副走査方向に関して、手置副走査補正係数β（Ｓ０）に基づいて副走査設定倍率を補正し、手置副走査倍率補正値を算出する。そして、その手置副走査倍率補正値に基づいてスライダの移動速度を決定する。
【０２４６】
具体的には、手置副走査倍率補正値を式（１３）により求める。
手置副走査倍率補正値＝（副走査設定倍率）×（手置副走査補正係数β（Ｓ０））・・・式（１３）
そして、式（１３）により求めた手置副走査倍率補正値を式（１４）に代入することによりスライダの移動速度を決定する。
【０２４７】
スライダの移動速度（Ｖｒ１）＝（基準搬送速度Ｖｒ０）÷（手置副走査倍率補正値）  ・・・式（１４）
式（１４）で算出されたスライダの移動速度（Ｖｒ１）で画像を読み取ることにより、手置読取時の副走査読取倍率は等倍となる。
【０２４８】
手置読取の場合には、主走査方向に関して、手置主走査補正係数β（Ｍ０）に基づいて主走査設定倍率を補正し、手置主走査倍率補正値を算出する。そして、補正処理は、その手置主走査倍率補正値に基づいて、主走査方向の電子変倍（間引きまたは水増し）処理を施すことにより行なう。
【０２４９】
具体的には、手置主走査倍率補正値を式（１５）により求める。
手置主走査倍率補正値＝（主走査設定倍率）×（手置主走査補正係数β（Ｍ０））・・・式（１５）
そして、式（１５）により求めた手置主走査倍率補正値に基づき、主走査方向の電子変倍処理を行なう。これにより、手置読取時の主走査読取倍率は等倍となる。
【０２５０】
なお、電子変倍処理としては、例えば、単純間引きによる縮小処理、単純水増しによる拡大処理など一般的な変倍処理が用いられ、特に限定されない。以下に記載する電子変倍処理についても同様であり、説明は繰り返さない。
【０２５１】
（ｉｉ−２）  ＡＤＦ片面読取に関する補正処理
ＡＤＦ読取による片面読取時には、表面主走査補正係数β（Ｍ１）と、表面副走査補正係数β（Ｓ１）とを用いて、主走査設定倍率および副走査設定倍率の補正が行なわれる。
【０２５２】
ＡＤＦ片面読取の場合には、副走査方向に関して、表面副走査補正係数β（Ｓ１）に基づいて副走査設定倍率を補正し、表面副走査倍率補正値を算出する。そして、その表面副走査倍率補正値に基づいて原稿の搬送速度を決定する。
【０２５３】
具体的には、表面副走査倍率補正値を式（１６）により求める。
表面副走査倍率補正値＝（副走査設定倍率）×（表面副走査補正係数β（Ｓ１））・・・式（１６）
そして、式（１６）により求めた表面副走査倍率補正値を式（１７）に代入することにより原稿の搬送速度を決定する。
【０２５４】
原稿の搬送速度（Ｖｒ１）＝（基準搬送速度Ｖｒ０）÷（表面副走査倍率補正値）  ・・・式（１７）
式（１７）で算出された原稿の搬送速度（Ｖｒ１）で画像を読み取ることにより、ＡＤＦ読取による片面読取時の副走査読取倍率は等倍となる。
【０２５５】
ＡＤＦ片面読取の場合には、主走査方向に関して、表面主走査補正係数β（Ｍ１）に基づいて主走査設定倍率を補正し、表面主走査倍率補正値を算出する。そして、補正処理は、その表面主走査倍率補正値に基づいて、主走査方向の電子変倍（間引きまたは水増し）処理を施すことにより行なう。
【０２５６】
具体的には、表面主走査倍率補正値を式（１８）により求める。
表面主走査倍率補正値＝（主走査設定倍率）×（表面主走査補正係数β（Ｍ１））・・・式（１８）
そして、式（１８）により求めた表面主走査倍率補正値に基づき、主走査方向の電子変倍処理を行なう。これにより、ＡＤＦ読取による片面読取時の主走査読取倍率は等倍となる。
【０２５７】
（ｉｉ−３）  両面同時読取に関する補正処理
両面同時読取時には、表面主走査補正係数β（Ｍ１）と、表面副走査補正係数β（Ｓ１）、裏面主走査補正係数β（Ｍ２）と、裏面副走査補正係数β（Ｓ２）とを用いて、主走査設定倍率および副走査設定倍率の補正が行なわれる。
両面同時読取の場合には、副走査方向に関して、裏面副走査補正係数β（Ｓ２）に基づいて副走査設定倍率を補正し、裏面副走査倍率補正値を算出する。そして、その裏面副走査倍率補正値に基づいて原稿の搬送速度を決定する。
【０２５８】
具体的には、裏面副走査倍率補正値を式（１９）により求める。
裏面副走査倍率補正値＝（副走査設定倍率）×（裏面副走査補正係数β（Ｓ２））・・・式（１９）
そして、式（１９）により求めた裏面副走査倍率補正値を式（２０）に代入することにより原稿の搬送速度を決定する。
【０２５９】
原稿の搬送速度（Ｖｒ１）＝（基準搬送速度Ｖｒ０）÷（裏面副走査倍率補正値）  ・・・式（２０）
式（２０）で算出された原稿の搬送速度（Ｖｒ１）で原稿を搬送することにより、両面同時読取による裏面読取画像の副走査読取倍率は等倍となる。
【０２６０】
両面同時読取の場合には、裏面読取画像の主走査方向に関して、裏面主走査補正係数β（Ｍ２）に基づいて主走査設定倍率を補正し、裏面主走査倍率補正値を算出する。そして、補正処理は、その裏面主走査倍率補正値に基づいて、主走査方向の電子変倍（間引きまたは水増し）処理を施すことにより行なう。
【０２６１】
具体的には、裏面主走査倍率補正値を式（２１）により求める。
裏面主走査倍率補正値＝（主走査設定倍率）×（裏面主走査補正係数β（Ｍ２））・・・式（２１）
そして、式（２１）により求めた裏面主走査倍率補正値に基づき、主走査方向の電子変倍処理を行なう。これにより、両面同時読取による裏面読取画像の主走査読取倍率は等倍となる。
【０２６２】
両面同時読取の場合には、表面読取画像の副走査方向に関して、表面副走査補正係数β（Ｓ１）と裏面副走査補正係数β（Ｓ２）とに基づいて表面副走査設定倍率を補正し、表面副走査倍率補正値を算出する。そして、補正処理は、表面副走査倍率補正値に基づいて電子変倍処理（間引き処理）を施すことにより行なう。
【０２６３】
具体的には、表面副走査倍率補正値を式（２２）により求める。
表面副走査倍率補正値＝（副走査設定倍率）×（表面副走査補正係数β（Ｓ１））÷（裏面副走査補正係数β（Ｓ２））・・・式（２２）
そして、式（２２）により求めた表面副走査倍率補正値に基づき、表面読取画像に対し副走査方向の電子変倍処理（間引き処理）を行なう。これにより、両面同時読取による表面読取画像の副走査読取倍率は等倍となる。
【０２６４】
以下に、表面読取画像の副走査方向の設定倍率の補正を、表面副走査補正係数β（Ｓ１）と裏面副走査補正係数β（Ｓ２）とに基づいて行なう理由を説明する。
【０２６５】
表面副走査補正係数β（Ｓ１）は、前述のように、原稿の搬送速度をＶｒ０とした場合に、表面副走査読取倍率を等倍に補正するための補正係数である。よって、原稿の搬送速度Ｖｒ０であれば、表面副走査補正係数β（Ｓ１）のみに基づいて表面読取画像の副走査方向の設定倍率の補正を行なえば良い。
【０２６６】
しかし、両面同時読取においては、前述のように、裏面読取画像の副走査読取倍率が等倍となるように原稿の搬送速度が変えられるため、表面副走査補正係数β（Ｓ１）のみに基づいて表面読取画像の副走査方向の設定倍率の補正を行なっても、表面副走査読取倍率は等倍にはならない。具体的には、裏面副走査補正係数β（Ｓ２）の分だけ拡大された画像となる。
【０２６７】
そのため、式（２２）のように、副走査設定倍率を表面副走査補正係数β（Ｓ１）で補正した上、さらに裏面副走査補正係数β（Ｓ２）で補正する必要がある。
【０２６８】
両面同時読取の場合には、表面読取画像の主走査方向に関して、表面主走査補正係数β（Ｍ１）に基づいて主走査設定倍率を補正し、表面主走査倍率補正値を算出する。そして、補正処理は、その表面主走査倍率補正値に基づいて、主走査方向の電子変倍（間引きまたは水増し）処理を施すことにより行なう。
【０２６９】
具体的には、表面主走査倍率補正値を式（２３）により求める。
表面主走査倍率補正値＝（主走査設定倍率）×（表面主走査補正係数β（Ｍ１））・・・式（２３）
そして、式（２３）により求めた表面主走査倍率補正値に基づき、主走査方向の電子変倍処理を行なう。これにより、両面同時読取による表面読取画像の主走査読取倍率は等倍となる。
【０２７０】
図１７は、本発明の実施の形態に従うＭＦＰ１におけるコピー機能を実行する場合の処理の流れについて説明するフロー図である。制御部２０はＲＯＭに記憶されたプログラムに基づいて図１７のフロー図に示す処理を行なう。
【０２７１】
図１７を参照して、まずコピーモードが選択されたかどうかを判断する（ステップＳ５０）。
【０２７２】
具体的にはコピーキー２１０が押下されたかどうかに基づいて判断する。なお、コピーキー２１０が押下されるまで当該状態を維持し続ける。
【０２７３】
コピーキー２１０が押下された場合（ステップＳ５０においてＹＥＳ）には、制御部２０は、ユーザからのコピー動作の設定を受け付ける（ステップＳ５２）。
【０２７４】
ユーザは、図３で説明した操作パネル１０に表示された内容に従ってコピー動作の各種設定が可能である。例えば、ユーザは、原稿サイズ、印刷形態として片面／両面、倍率、印刷用紙、集約（２ｉｎ１、４ｉｎ１）等の設定が可能である。なお、原稿サイズは、スキャナ１３または原稿トレイ１７に設置されたセンサにより、自動的に検知してもよい。
【０２７５】
そして、コピーモードの設定に従い倍率設定処理を実行する（ステップＳ５４）。具体的には、制御部２０は、ステップＳ５４で受け付けたコピー動作の設定及びＲＯＭ３０に格納された各種パラメータに従って、搬送ローラによる搬送速度、スライダの移動速度、電子変倍処理の変倍率を決定する等の処理を実行する。その詳細については後述する。
【０２７６】
そして、スタートキーが押下されたかどうかを判断する（ステップＳ５６）。
スタートキーが押下された場合（ステップＳ５６でＹＥＳ）には、倍率設定処理の設定に従って画像読取処理を行ない（ステップＳ５８）、読取画像に基づいて印刷処理を実行する（ステップＳ６０）。すなわち、コピー動作が開始される。そして、コピー動作終了後、再び、ステップＳ５２に戻り、再度、ユーザからのコピー動作の設定を受け付ける。
【０２７７】
スタートキーが押下されない場合（ステップＳ５６においてＮＯ）には、再び、ステップＳ５２に戻り、ユーザからのコピー動作の設定を受け付ける。
【０２７８】
図１８は、図１７に示すフロー図のステップＳ５４で行なわれる倍率設定処理の内容を説明するフロー図である。当該倍率設定処理を実現するためのプログラムは予めＲＯＭ３０に格納されており、当該プログラムを制御部２０が読み出して実行することにより以下に示す処理が実行される。
【０２７９】
図１８を参照して、まず、手置読取か、ＡＤＦ読取かを判断する（ステップＳ７２）。手置読取か否かの判断は、プラテンガラス１３２上に原稿が載置されたか否かを、スキャナ１３に設置されたセンサで検出することにより行なう。また、ＡＤＦ読取か否かの判断は、原稿トレイ１７に原稿が載置されたか否かを、原稿トレイ１７に設置されたセンサで検出することにより行なう。
【０２８０】
ステップＳ７２において、手置読取であると判断した場合（ステップＳ７２において手置き）には、次に設定倍率Ａを取得する（ステップＳ７４）。
【０２８１】
制御部２０は、ユーザにより設定された設定倍率Ａを取得する。なお、設定倍率Ａは、原稿の主走査方向の設定倍率ＡＭおよび副走査方向の設定倍率ＡＳで構成されている。ここで言う「ユーザにより設定された設定倍率」とは、ユーザにより直接選択された倍率のみならず、例えば、ユーザから集約の機能（例えば２ｉｎ１）の選択を受け付け、２ｉｎ１に対応する倍率として制御部２０が自動的に決定した倍率も含む。
【０２８２】
そして、次に、手置主走査補正係数β（Ｍ０）と手置副走査補正係数β（Ｓ０）をＲＯＭから読み込む（ステップＳ７６）。
【０２８３】
そして、次に、手置主走査倍率補正値と手置副走査倍率補正値とを算出する（ステップＳ７８）。具体的には、式（１５）に、主走査設定倍率ＡＭと手置主走査補正係数β（Ｍ０）とを代入して手置主走査倍率補正値を算出する。また、式（１３）に、副走査設定倍率ＡＳと手置副走査補正係数β（Ｓ０）とを代入して手置副走査倍率補正値を算出する。
【０２８４】
そして、ステップＳ７８で算出した手置副走査倍率補正値に基づくスライダの移動速度の決定処理、および手置主走査倍率補正値に基づく主走査方向の電子変倍の変倍率の設定処理を実行する（ステップＳ８０）。スライダの移動速度は式（１４）に基づき決定する。主走査方向の電子変倍の変倍率は、手置主走査倍率補正値をそのまま設定する。
【０２８５】
そして、処理を終了（リターン）し、図１７のフローチャートに戻って、手置読取による画像読取処理を行なう（ステップＳ５８）。画像読取処理においては、図１８のステップＳ８０で決定したスライダの移動速度でスライダを移動し、ステップＳ８０で設定した変倍率に基づいて主走査方向の電子変倍処理を行なう。
【０２８６】
このように、手置読取に関する機構の機差ばらつきに起因する主走査方向、副走査方向の読取倍率のズレを、手置主走査補正係数β（Ｍ０）と手置副走査補正係数β（Ｓ０）とに基づいて補正する。主走査方向の読取倍率のズレは、読取画像に対する主走査方向の電子変倍処理により補正する。副走査方向の読取倍率のズレは、スライダの移動速度を変えることにより補正する。
【０２８７】
これにより、手置読取に関する機構に機差ばらつきが生じた場合にも、適正な読取倍率に補正することができる。また、副走査方向の読取倍率の補正をスライダの移動速度を変えることにより行なうため、副走査方向の電子変倍処理に起因する画質の劣化を防止し、画質の高い読取画像を得ることができる。また、副走査方向の電子変倍処理を行なわないため、画像処理部（第１画像処理部１４３）の規模を小さくすることができ、ＭＦＰ１のコストを抑えることができる。また、副走査方向の電子変倍処理を行なわないため、画像読取処理のパフォーマンスの低下を防止することができ、画像読取を高速で行なうことができる。
【０２８８】
図１８のフローチャートに戻り、ステップＳ７２において、ＡＤＦ読取であると判断した場合（ステップＳ７２においてＡＤＦ）には、片面読取か、両面読取かを判断する（ステップＳ８１）。ユーザにより、操作パネル１０を介して、片面読取が設定されたか、両面読取が設定されたかに基づいて判断する。
【０２８９】
そして、片面読取が設定されたと判断した場合（ステップＳ８１において片面読取）には、ユーザにより設定された設定倍率Ｃを取得する（ステップＳ８２）。なお、設定倍率Ｃは、原稿の主走査方向の設定倍率ＣＭおよび副走査方向の設定倍率ＣＳで構成されている。ここで言う「ユーザにより設定された設定倍率」とは、ユーザにより直接選択された倍率のみならず、例えば、ユーザから集約の機能（例えば２ｉｎ１）の選択を受け付け、２ｉｎ１に対応する倍率として制御部２０が自動的に決定した設定も含む。
【０２９０】
そして、次に、表面主走査補正係数β（Ｍ１）と表面副走査補正係数β（Ｓ１）をＲＯＭから読み込む（ステップＳ８４）。
【０２９１】
そして、次に、表面主走査倍率補正値と表面副走査倍率補正値とを算出する（ステップＳ８６）。具体的には、式（１８）に、主走査設定倍率ＣＭと表面主走査補正係数β（Ｍ１）とを代入して表面主走査倍率補正値を算出する。また、式（１６）に、副走査設定倍率ＣＳと表面副走査補正係数β（Ｓ１）とを代入して表面副走査倍率補正値を算出する。
【０２９２】
そして、ステップＳ８６で算出した表面副走査倍率補正値に基づく原稿の搬送速度の決定処理、および表面主走査倍率補正値に基づく主走査方向の電子変倍の変倍率の設定処理を実行する（ステップＳ８８）。原稿の搬送速度は式（１７）に基づき決定する。主走査方向の電子変倍の変倍率は、表面主走査倍率補正値をそのまま設定する。
【０２９３】
そして、処理を終了（リターン）し、図１７のフローチャートに戻って、ＡＤＦ片面読取による画像読取処理を行なう（ステップＳ５８）。画像読取処理においては、図１８のステップＳ８８で決定した原稿の搬送速度で原稿を搬送し、ステップＳ８８で設定した変倍率に基づいて主走査方向の電子変倍処理を行なう。
【０２９４】
このように、ＡＤＦ表面読取に関する機構の機差ばらつきに起因する主走査方向、副走査方向の読取倍率のズレを、表面主走査補正係数β（Ｍ１）と表面副走査補正係数β（Ｓ１）とに基づいて補正する。主走査方向の読取倍率のズレは、読取画像に対する主走査方向の電子変倍処理により補正する。副走査方向の読取倍率のズレは、原稿の搬送速度を変えることにより補正する。
【０２９５】
これにより、ＡＤＦ表面読取に関する機構に機差ばらつきが生じた場合にも、適正な読取倍率に補正することができる。また、副走査方向の読取倍率の補正を原稿の搬送速度を変えることにより行なうため、副走査方向の電子変倍処理に起因する画質の劣化を防止し、画質の高い読取画像を得ることができる。また、副走査方向の電子変倍処理を行なわないため、画像処理部（第１画像処理部１４３）の規模を小さくすることができ、ＭＦＰ１のコストを抑えることができる。また、副走査方向の電子変倍処理を行なわないため、画像読取処理のパフォーマンスの低下を防止することができ、画像読取を高速で行なうことができる。
【０２９６】
図１８のフローチャートに戻り、ステップＳ８１において、両面読取が設定されたと判断した場合（ステップＳ８１において両面読取）には、ユーザにより設定された設定倍率Ｅを取得する（ステップＳ９０）。なお、設定倍率Ｅは、原稿の主走査方向の設定倍率ＥＭおよび副走査方向の設定倍率ＥＳで構成されている。ここで言う「ユーザにより設定された設定倍率」とは、ユーザにより直接選択された倍率のみならず、例えば、ユーザから集約の機能（例えば２ｉｎ１）の選択を受け付け、２ｉｎ１に対応する倍率として制御部が自動的に決定した倍率も含む。
【０２９７】
そして、次に、設定された原稿サイズに対応するサイズ依存補正係数α、表面主走査補正係数β（Ｍ１）、表面副走査補正係数β（Ｓ１）、裏面主走査補正係数β（Ｍ２）、裏面副走査補正係数β（Ｓ２）をＲＯＭから読み込む（ステップＳ９２）。
【０２９８】
そして、次に、表面主走査倍率補正値、表面副走査倍率補正値、裏面主走査倍率補正値および裏面副走査倍率補正値を算出する（ステップＳ９４）。
【０２９９】
具体的には、式（２３）に、主走査設定倍率ＥＭと表面主走査補正係数β（Ｍ１）とを代入して表面主走査倍率補正値を算出する。式（２１）に、主走査設定倍率ＥＭと裏面主走査補正係数β（Ｍ２）とを代入して裏面主走査倍率補正値を算出する。
【０３００】
また、式（１９）に、副走査設定倍率ＥＳと裏面副走査補正係数β（Ｓ２）とを代入して裏面副走査倍率補正値が算出されるが、式（１９）は、原稿サイズが基準原稿（Ａ４Ｌ）に対応するものである。すなわち、上述したように原稿サイズが基準原稿（Ａ４Ｌ）以外の場合には、式（２４）のように副走査設定倍率ＥＳと裏面副走査補正係数β（Ｓ２）とサイズに応じた補正係数（サイズ依存補正係数α）とに基づいて副走査設定倍率を補正して裏面副走査倍率補正値を算出する。
【０３０１】
裏面副走査倍率補正値＝（副走査設定倍率）×（裏面副走査補正係数β（Ｓ２）×（サイズ依存補正係数α）・・・式（２４）
すなわち、上式は、式（１９）に、原稿サイズの違いに起因する裏面副走査倍率値のズレを補正するための、原稿サイズに対応するサイズ依存補正係数αによる補正を加えたものである。
【０３０２】
また、式（２２）に、副走査設定倍率ＥＳと表面副走査補正係数β（Ｓ１）とを代入して表面副走査倍率補正値が算出されるが、式（２２）は、原稿サイズが基準原稿（Ａ４Ｌ）に対応するものである。すなわち、上述したように原稿サイズが基準原稿（Ａ４Ｌ）以外の場合には、式（２５）のように副走査設定倍率ＥＳと表面副走査補正係数β（Ｓ１）とサイズに応じた補正係数（サイズ依存補正係数α）とに基づいて副走査設定倍率を補正して表面副走査倍率補正値を算出する。
【０３０３】
表面副走査倍率補正値＝（副走査設定倍率）×（表面副走査補正係数β（Ｓ１））÷（裏面副走査補正係数β（Ｓ２））／（原稿サイズに対応するサイズ依存補正係数α）・・・式（２５）
すなわち、上式は、式（２２）に、原稿サイズの違いに起因する表面副走査倍率値のズレを補正するための、原稿サイズに対応するサイズ依存補正係数αによる補正を加えたものである。
【０３０４】
そして、ステップＳ９４で算出した表面主走査倍率補正値に基づく表面の主走査方向の電子変倍の変倍率の設定処理、裏面主走査倍率補正値に基づく裏面の主走査方向の電子変倍の変倍率の設定処理、裏面副走査倍率補正値に基づく原稿の搬送速度の決定処理、および表面副走査倍率補正値に基づく電子変倍の変倍率の設定処理を実行する（ステップＳ９８）。
【０３０５】
表面の主走査方向の電子変倍の変倍率、表面の副走査方向の電子変倍の変倍率、裏面の主走査方向の電子変倍の変倍率はそれぞれ、表面主走査倍率補正値、表面副走査倍率補正値、裏面主走査倍率補正値をそのまま設定する。原稿の搬送速度は式（２０）に基づき決定する。
【０３０６】
そして、処理を終了（リターン）し、図１７のフローチャートに戻って、両面同時読取により画像読取処理を行なう（ステップＳ５８）。画像読取処理においては、図１８のステップＳ９８で決定した原稿の搬送速度で原稿を搬送し、ステップＳ９８で設定した変倍率に基づいて、表面読取画像に対し主走査方向の電子変倍処理と副走査方向の電子変倍処理を行ない、裏面読取画像に対し主走査方向の電子変倍処理を行なう。なお、前述のように、読取位置における原稿の搬送速度の違いに起因して、表面の副走査読取倍率は裏面の副走査読取倍率よりも大きくなるため、表面読取画像に対する副走査方向の電子変倍処理は、縮小する処理（間引き処理）となる。
【０３０７】
このように、両面同時読取時において、表面読取に関する機構の機差ばらつきに起因する主走査方向の読取倍率のズレを表面主走査補正係数β（Ｍ１）に基づいて補正する。また、表面読取に関する機構の機差ばらつきおよびサイズばらつきに起因する副走査方向の読取倍率のズレを、表面副走査補正係数β（Ｓ１）、裏面副走査補正係数β（Ｓ２）およびサイズ依存補正係数αに基づいて補正する。また、裏面読取に関する機構の機差ばらつきに起因する主走査方向の読取倍率のずれを裏面主走査補正係数β（Ｍ２）に基づいて補正する。また、裏面読取に関する機構の機差ばらつきおよびサイズばらつきに起因する副走査方向の読取倍率のズレを、裏面副走査補正係数β（Ｓ２）、サイズ依存補正係数αに基づいて補正する。
【０３０８】
表面の主走査方向の読取倍率のズレは、表面読取画像に対する主走査方向の電子変倍処理により補正する。表面の副走査方向の読取倍率のズレは、表面読取画像に対する副走査方向の電子変倍処理により補正する。裏面の主走査方向の読取倍率のズレは、裏面読取画像に対する主走査方向の電子変倍処理により補正する。裏面の副走査方向の読取倍率のズレは、原稿の搬送速度を変えることにより補正する。
【０３０９】
これにより、両面同時読取時において、表面読取に関する機構と裏面読取に関する機構とに機差ばらつきが生じた場合にも、適正な読取倍率に補正することができる。また、副走査方向の電子変倍処理は常に間引き処理（縮小処理）となり、電子変倍処理による副走査方向の水増し処理（拡大）を行なう必要がないため、画像読取処理のパフォーマンスが低下することはなく、画像読取を高速で行なうことができる。また、表面読取画像に対してのみ副走査方向の電子変倍処理を行ない、裏面読取画像に対しては副走査方向の電子変倍処理を行なわないため、副走査方向の電子変倍処理に起因する画質の劣化を最小限に抑えることができる。また、副走査方向の電子変倍処理による水増し処理（拡大処理）を行なう必要がないため、画像処理部（第２画像処理部１４５）の規模を小さくすることができ、ＭＦＰ１のコストを抑えることができる。
【０３１０】
以上のように、ＭＦＰ１では、手置読取では、主走査方向の読取倍率は電子変倍処理により補正し、副走査方向の読取倍率はスライダの移動速度を変えることにより補正する。ＡＤＦ片面読取では、主走査方向の読取倍率は電子変倍処理により補正し、副走査方向の読取倍率は原稿の搬送速度を変えることにより補正する。両面同時読取では、主走査方向の読取倍率と表面の副走査方向の読取倍率は電子変倍処理により補正し、裏面の副走査方向の読取倍率は原稿の搬送速度を変えることにより補正する。また、表面の副走査方向の読取倍率を補正するための電子変倍処理は常に間引き処理（縮小処理）となる。
【０３１１】
つまり、手置読取、片面読取、両面同時読取で得られる読取画像のうち、副走査方向の電子変倍処理が施されるのは、両面同時読取における表面読取画像のみとなる。そのため、副走査方向の電子変倍処理に起因する画質の低下を最小限に抑えることができる。また、副走査方向の電子変倍処理は常に間引き（縮小処理）となり、電子変倍処理による副走査方向の水増し処理（拡大）を行なう必要がないため、画像読取処理のパフォーマンスが低下することはなく、画像読取を高速で行なうことができる。
【０３１２】
このように、ＭＦＰ１によると、画像読取処理のパフォーマンスを低下させることなく、画質の劣化を最小限に抑えることができる。
【０３１３】
なお、上記においては、一例として、ＭＦＰ１におけるコピー機能を利用した場合において、倍率設定処理を実行して、表面および裏面における主走査倍率設定処理により機差ばらつきに起因して変化する主走査方向における読取倍率を補正するとともに、両面原稿等の搬送ローラの搬送速度の設定処理を実行して、読取位置における搬送速度の差および機差ばらつきに起因して変化する読取画像の読取倍率を補正する場合について説明したが、スキャナ１３のみを用いたスキャン機能、ファクシミリ１６を用いたＦＡＸ機能を利用する場合においても同様に適用可能である。
【０３１４】
なお、上記の図１８のフロー図においては、両面同時読取において、サイズ依存補正係数αに基づいて原稿サイズの違いに起因する表面副走査倍率値のズレを補正する場合について説明したが基準原稿（Ａ４Ｌ）の場合にはサイズ依存補正係数αによる補正は不要である。また、原稿サイズの違いに起因する当該ズレは他のズレと比較して相対的に大きくないためサイズ依存補正係数αによる補正を実行しないようにすることも可能である。
【０３１５】
（変形例１）
（４．原稿の厚さを考慮した補正）
本実施の形態の変形例１においては、上記で説明した機差ばらつきおよび原稿の厚さを考慮した補正の内容について説明する。
【０３１６】
上記においては、原稿の厚さについては特に考慮していなかったが原稿の厚さのばらつきに起因して読取倍率にばらつきが生じる。
【０３１７】
図１９は、原稿の厚さのばらつきに従う表面読取画像の表面副走査読取倍率について説明する図である。ここでは、厚さ１２８（ｇ／ｍ2）の基準原稿（Ａ４Ｌ）を基準としてＡＤＦ片面読取をした場合の一例が示されている。
【０３１８】
図１９に示されるように、厚さ１２８（ｇ／ｍ2）よりも原稿の厚さが厚いほど読取倍率が大きくなる場合が示されている。一方、厚さ１２８（ｇ／ｍ2）よりも原稿の厚さが薄いほど読取倍率が小さくなる場合が示されている。
【０３１９】
したがって、当該厚さばらつきに起因する読取倍率のばらつきを補正するための処理が必要となる。
【０３２０】
本実施の形態の変形例１においては、厚さ１２８（ｇ／ｍ2）の基準原稿（Ａ４Ｌ）を基準として、原稿の厚さに応じた厚さばらつきを補正するための補正係数γを用いることにより読取倍率を補正する。
【０３２１】
まず、基準原稿（Ａ４Ｌ）のそれぞれの厚さに関して、厚さ１２８（ｇ／ｍ2）の基準原稿（Ａ４Ｌ）との表面副走査読取倍率に対する比率を求める。
【０３２２】
具体的には、厚さ２１０（ｇ／ｍ2）の基準原稿（Ａ４Ｌ）の表面副走査読取倍率は１００．３０％であり、厚さ１２８（ｇ／ｍ2）の基準原稿（Ａ４Ｌ）の表面副走査読取倍率は１００．００％であるため、厚さ２１０（ｇ／ｍ2）の基準原稿（Ａ４Ｌ）と厚さ１２８（ｇ／ｍ2）の基準原稿（Ａ４Ｌ）との表面副走査読取倍率の比率は、１００．３０％である。つまり、これは、厚さ１２８（ｇ／ｍ2）の基準原稿（Ａ４Ｌ）の表面副走査読取倍率が等倍となるような搬送速度で原稿を搬送すると、厚さ２１０（ｇ／ｍ2）の基準原稿（Ａ４Ｌ）の表面副走査読取倍率は１００．３０％となることを意味する。
【０３２３】
また、厚さ８０（ｇ／ｍ2）の基準原稿（Ａ４Ｌ）の表面副走査読取倍率は９９．９０％であり、厚さ１２８（ｇ／ｍ2）の基準原稿（Ａ４Ｌ）の表面副走査読取倍率は１００．００％であるため、厚さ８０（ｇ／ｍ2）の基準原稿（Ａ４Ｌ）と厚さ１２８（ｇ／ｍ2）の基準原稿（Ａ４Ｌ）との表面副走査読取倍率の比率は、９９．９０％である。他の原稿サイズについても同様に算出することができる。
【０３２４】
このように、基準搬送速度Ｖｒ０を、厚さ１２８（ｇ／ｍ2）の基準原稿（Ａ４Ｌ）に合わせて補正すると、厚さ１２８（ｇ／ｍ2）の基準原稿（Ａ４Ｌ）での表面副走査読取倍率は等倍になるが、厚さ１２８（ｇ／ｍ2）の基準原稿（Ａ４Ｌ）以外の原稿サイズでの表面副走査読取倍率は等倍とはならない。これは、副走査方向において、原稿の厚さに従って原稿の搬送速度が異なるためである。
【０３２５】
そこで、前述した、原稿の厚さそれぞれについての、厚さ１２８（ｇ／ｍ2）の基準原稿（Ａ４Ｌ）との表面副走査読取倍率に対する比率に基づいて、厚さが異なる原稿サイズにおいても表面読取画像が等倍となるように、副走査設定倍率を補正する。
【０３２６】
具体的には、前述した、厚さ１２８（ｇ／ｍ2）の基準原稿（Ａ４Ｌ）との表面副走査読取倍率の比率の逆数を補正係数（厚さ依存補正係数γ）として用いる。
【０３２７】
厚さ２１０（ｇ／ｍ2）の基準原稿（Ａ４Ｌ）は、厚さ１２８（ｇ／ｍ2）の基準原稿（Ａ４Ｌ）に対する表面副走査読取倍率の比率が１００．３０％であるから厚さ依存補正係数γは９９．７０％（＝１００／１００．３０）となる。同様に、厚さ８０（ｇ／ｍ2）の基準原稿（Ａ４Ｌ）は、厚さ１２８（ｇ／ｍ2）の基準原稿（Ａ４Ｌ）に対する表面副走査読取倍率の比率が９９．９０％であるから厚さ依存補正係数γは１００．１０％（＝１００／９９．９０）となる。他の原稿サイズについても同様に算出することができる。
【０３２８】
なお、厚さ１２８（ｇ／ｍ2）の基準原稿（Ａ４Ｌ）を基準とした場合の他の厚さの基準原稿（Ａ４Ｌ）に関する原稿の厚さに応じた厚さ依存補正係数γは、データテーブルとして予めＲＯＭ３０に格納されている。なお、図１９に示すグラフを近似式としてＲＯＭ３０に格納しておき、原稿の厚さをその近似式に代入することにより厚さ依存補正係数γを算出するようにしても良い。
【０３２９】
ＡＤＦ片面読取の場合には、副走査方向に関して、表面副走査補正係数β（Ｓ１）と、厚さ依存補正係数γとに基づいて副走査設定倍率を補正し、表面副走査倍率補正値を算出する。そして、その表面副走査倍率補正値に基づいて原稿の搬送速度を決定する。
【０３３０】
具体的には、表面副走査倍率補正値を式（２６）により求める。
表面副走査倍率補正値＝（副走査設定倍率）×（表面副走査補正係数β（Ｓ１））×（原稿の厚さに対応する厚さ依存補正係数γ）・・・式（２６）
そして、式（２６）により求めた表面副走査倍率補正値を式（１７）に代入することにより原稿の搬送速度を決定する。
【０３３１】
式（１７）で算出された原稿の搬送速度（Ｖｒ１）で画像を読み取ることにより、ＡＤＦ読取による片面読取時の副走査読取倍率は等倍となる。
【０３３２】
なお、表面主査倍率補正値については、式（１８）で説明したのと同様である。
以上のように、厚さの異なる基準原稿についてＡＤＦ片面読取する場合には、原稿の厚さに応じた補正係数（厚さ依存補正係数γ）により表面副走査読取倍率を補正し、表面副走査読取倍率が等倍になるような原稿の搬送速度を設定することにより、表面読取画像については副走査方向に電子変倍することなく等倍の画像を得ることができる。
【０３３３】
なお、上記においては、ＡＤＦ片面読取の場合について説明したが両面同時読取の場合にも同様に適用される。
【０３３４】
両面同時読取の場合には、裏面読取画像の副走査方向に関して、裏面副走査補正係数β（Ｓ２）と、厚さ依存補正係数γとに基づいて副走査設定倍率を補正し、裏面副走査倍率補正値を算出する。そして、その裏面副走査倍率補正値に基づいて原稿の搬送速度を決定する。
【０３３５】
具体的には、裏面副走査倍率補正値を式（２７）により求める。
裏面副走査倍率補正値＝（副走査設定倍率）×（裏面副走査補正係数β（Ｓ２））×（原稿の厚さに対応する厚さ依存補正係数γ）・・・式（２７）
そして、式（２７）により求めた裏面副走査倍率補正値を式（２０）に代入することにより原稿の搬送速度を決定する。
【０３３６】
式（２０）で算出された原稿の搬送速度で原稿を搬送することにより、両面同時読取による裏面読取画像の副走査読取倍率は等倍となる。
【０３３７】
また、両面同時読取の場合には、表面読取画像の副走査方向に関して、表面副走査補正係数β（Ｓ１）と裏面副走査補正係数β（Ｓ２）と、厚さ依存補正係数γとに基づいて表面副走査設定倍率を補正し、表面副走査倍率補正値を算出する。そして、補正処理は、表面副走査倍率補正値に基づいて電子変倍処理（間引き処理）を施すことにより行なう。
【０３３８】
具体的には、表面副走査倍率補正値を式（２８）により求める。
表面副走査倍率補正値＝（副走査設定倍率）×（表面副走査補正係数β（Ｓ１））÷（裏面副走査補正係数β（Ｓ２））／（厚さ依存補正係数γ）・・・式（２８）
そして、式（２８）により求めた表面副走査倍率補正値に基づき、表面読取画像に対し副走査方向の電子変倍処理（間引き処理）を行なう。これにより、両面同時読取による表面読取画像の副走査読取倍率は等倍となる。
【０３３９】
なお、表面および裏面の主走査倍率補正値については、式（２１），（２３）で説明したのと同様である。
【０３４０】
以上のように、厚さの異なる基準原稿について両面同時読取する場合には、原稿の厚さに応じた補正係数（厚さ依存補正係数γ）により裏面副走査読取倍率を補正し、裏面読取倍率が等倍となるような原稿の搬送速度を設定することにより、裏面読取画像については副走査方向に電子変倍することなくと等倍の画像を得ることができる。また、表面読取画像については副走査方向に電子間引きすることにより等倍の画像を得ることができる。
【０３４１】
本発明の実施の形態の変形例１に従うＭＦＰ１におけるコピー機能を実行する場合の処理の流れについては、図１７で説明したのと同様であるのでその詳細な説明は繰り返さない。
【０３４２】
図２０は、本発明の実施の形態の変形例１に従う倍率設定処理の内容を説明するフロー図である。当該倍率設定処理を実現するためのプログラムは予めＲＯＭ３０に格納されており、当該プログラムを制御部２０が読み出して実行することにより以下に示す処理が実行される。
【０３４３】
図２０を参照して、図１８のフロー図と比較して異なる点は、ステップＳ８５およびステップＳ９３を追加した点が異なる。ステップＳ７２〜ステップＳ８１までの処理については、図１８で説明したのと同様である。
【０３４４】
片面読取が設定されたと判断した場合（ステップＳ８１において片面読取）には、ユーザにより設定された設定倍率Ｃを取得する（ステップＳ８２）。
【０３４５】
そして、次に、表面主走査補正係数β（Ｍ１）と表面副走査補正係数β（Ｓ１）をＲＯＭから読み込む。（ステップＳ８４）。
【０３４６】
そして、さらに、厚さ依存補正係数γをＲＯＭから読み込む（ステップＳ８５）。具体的には、ユーザが操作パネル１０において入力した原稿の厚さの値に従って、上述したように厚さ１２８（ｇ／ｍ2）の基準原稿（Ａ４Ｌ）を基準とした場合の他の厚さの基準原稿（Ａ４Ｌ）に関する原稿の厚さに応じた厚さ依存補正係数γを格納したデータテーブルを参照して、厚さ依存補正係数γを読み込む。
【０３４７】
そして、次に、表面主走査倍率補正値と表面副走査倍率補正値とを算出する（ステップＳ８６）。具体的には、式（１８）に、主走査設定倍率ＣＭと表面主走査補正係数β（Ｍ１）とを代入して表面主走査倍率補正値を算出する。また、式（２６）に、副走査設定倍率ＣＳと表面副走査補正係数β（Ｓ１）とを代入して表面副走査倍率補正値を算出する。
【０３４８】
そして、ステップＳ８６で算出した表面副走査倍率補正値に基づく原稿の搬送速度の決定処理、および表面主走査倍率補正値に基づく主走査方向の電子変倍の変倍率の設定処理を実行する（ステップＳ８８）。原稿の搬送速度は式（１７）に基づき決定する。主走査方向の電子変倍の変倍率は、表面主走査倍率補正値をそのまま設定する。
【０３４９】
そして、処理を終了（リターン）し、図１７のフローチャートに戻って、ＡＤＦ片面読取による画像読取処理を行なう（ステップＳ５８）。画像読取処理においては、図１８のステップＳ８８で決定した原稿の搬送速度で原稿を搬送し、ステップＳ８８で設定した変倍率に基づいて主走査方向の電子変倍処理を行なう。
【０３５０】
このように、ＡＤＦ表面読取に関する機構の機差ばらつきに起因する主走査方向の読取倍率のズレを表面主走査補正係数β（Ｍ１）に基づいて補正する。また、機差ばらつきおよび厚さばらつきに起因する副走査方向の読取倍率のズレを、表面副走査補正係数β（Ｓ１）と厚さ依存補正係数γとに基づいて補正する。主走査方向の読取倍率のズレは、読取画像に対する主走査方向の電子変倍処理により補正する。副走査方向の読取倍率のズレは、原稿の搬送速度を変えることにより補正する。
【０３５１】
これにより、ＡＤＦ表面読取に関する機構に機差ばらつきおよび原稿の厚さばらつきが生じた場合にも、適正な読取倍率に補正することができる。また、副走査方向の読取倍率の補正を原稿の搬送速度を変えることにより行なうため、副走査方向の電子変倍処理に起因する画質の劣化を防止し、画質の高い読取画像を得ることができる。また、副走査方向の電子変倍処理を行なわないため、画像処理部（第１画像処理部１４３）の規模を小さくすることができ、ＭＦＰ１のコストを抑えることができる。また、副走査方向の電子変倍処理を行なわないため、画像読取処理のパフォーマンスの低下を防止することができ、画像読取を高速で行なうことができる。
【０３５２】
図２０のフローチャートに戻り、ステップＳ８１において、両面読取が設定されたと判断した場合（ステップＳ８１において両面読取）には、ユーザにより設定された設定倍率Ｅを取得する（ステップＳ９０）。
【０３５３】
そして、次に、設定された原稿サイズに対応するサイズ依存補正係数α、表面主走査補正係数β（Ｍ１）、表面副走査補正係数β（Ｓ１）、裏面主走査補正係数β（Ｍ２）、裏面副走査補正係数β（Ｓ２）をＲＯＭから読み込む。
【０３５４】
そして、さらに、厚さ依存補正係数γをＲＯＭから読み込む（ステップＳ９３）。具体的には、ユーザが操作パネル１０において入力した原稿の厚さの値に従って、上述したように厚さ１２８（ｇ／ｍ2）の基準原稿（Ａ４Ｌ）を基準とした場合の他の厚さの基準原稿（Ａ４Ｌ）に関する原稿の厚さに応じた厚さ依存補正係数γを格納したデータテーブルを参照して、厚さ依存補正係数γを読み込む。
【０３５５】
そして、次に、表面主走査倍率補正値、表面副走査倍率補正値、裏面主走査倍率補正値および裏面副走査倍率補正値を算出する（ステップＳ９４）。
【０３５６】
具体的には、式（２３）に、主走査設定倍率ＥＭと表面主走査補正係数β（Ｍ１）とを代入して表面主走査倍率補正値を算出する。式（２１）に、主走査設定倍率ＥＭと裏面主走査補正係数β（Ｍ２）とを代入して裏面主走査倍率補正値を算出する。
【０３５７】
また、式（２７）に、副走査設定倍率ＥＳと裏面副走査補正係数β（Ｓ２）と、厚さ依存補係数γとを代入して裏面副走査倍率補正値が算出されるが、式（２７）は、原稿サイズが基準原稿（Ａ４Ｌ）に対応するものである。すなわち、上述したように原稿サイズが基準原稿（Ａ４Ｌ）以外の場合には、式（２９）のように副走査設定倍率ＥＳと裏面副走査補正係数β（Ｓ２）と、厚さ依存補正係数γと、サイズに応じた補正係数（サイズ依存補正係数α）とに基づいて副走査設定倍率を補正して裏面副走査倍率補正値を算出する。
【０３５８】
裏面副走査倍率補正値＝（副走査設定倍率）×（裏面副走査補正係数β（Ｓ２）×（原稿の厚さに対応する厚さ依存補正係数γ）×（サイズ依存補正係数α）・・・式（２９）
すなわち、上式は、式（２７）に、原稿サイズの違いに起因する裏面副走査倍率値のズレを補正するための、原稿サイズに対応するサイズ依存補正係数αによる補正を加えたものである。
【０３５９】
また、式（２８）に、副走査設定倍率ＥＳと表面副走査補正係数β（Ｓ１）と、厚さ依存補正係数γとを代入して表面副走査倍率補正値が算出されるが、式（２８）は、原稿サイズが基準原稿（Ａ４Ｌ）に対応するものである。すなわち、上述したように原稿サイズが基準原稿（Ａ４Ｌ）以外の場合には、式（３０）のように副走査設定倍率ＥＳと表面副走査補正係数β（Ｓ１）と、厚さ依存補正係数γと、サイズに応じた補正係数（サイズ依存補正係数α）とに基づいて副走査設定倍率を補正して表面副走査倍率補正値を算出する。
【０３６０】
表面副走査倍率補正値＝（副走査設定倍率）×（表面副走査補正係数β（Ｓ１））÷（裏面副走査補正係数β（Ｓ２））／（厚さ依存補正係数γ）／（原稿サイズに対応するサイズ依存補正係数α）・・・式（３０）
すなわち、上式は、式（２８）に、原稿サイズの違いに起因する表面副走査倍率値のズレを補正するための、原稿サイズに対応するサイズ依存補正係数αによる補正を加えたものである。
【０３６１】
そして、ステップＳ９４で算出した表面主走査倍率補正値に基づく表面の主走査方向の電子変倍の変倍率の設定処理、裏面主走査倍率補正値に基づく裏面の主走査方向の電子変倍の変倍率の設定処理、裏面副走査倍率補正値に基づく原稿の搬送速度の決定処理、および表面副走査倍率補正値に基づく電子変倍の変倍率の設定処理を実行する（ステップＳ９８）。
【０３６２】
表面の主走査方向の電子変倍の変倍率、表面の副走査方向の電子変倍の変倍率、裏面の主走査方向の電子変倍の変倍率はそれぞれ、表面主走査倍率補正値、表面副走査倍率補正値、裏面主走査倍率補正値をそのまま設定する。原稿の搬送速度は式（２０）に基づき決定する。
【０３６３】
そして、処理を終了（リターン）し、図１７のフローチャートに戻って、両面同時読取により画像読取処理を行なう（ステップＳ５８）。画像読取処理においては、図１８のステップＳ９８で決定した原稿の搬送速度で原稿を搬送し、ステップＳ９８で設定した変倍率に基づいて、表面読取画像に対し主走査方向の電子変倍処理と副走査方向の電子変倍処理を行ない、裏面読取画像に対し主走査方向の電子変倍処理を行なう。
【０３６４】
このように、両面同時読取時において、表面読取に関する機構の機差ばらつきに起因する主走査方向の読取倍率のズレを表面主走査補正係数β（Ｍ１）に基づいて補正する。また、表面読取に関する機差ばらつきおよび厚さばらつきに起因する副走査方向の読取倍率のズレを、表表面副走査補正係数β（Ｓ１）、裏面副走査補正係数β（Ｓ２）、厚さ依存補正係数γ、サイズ依存補正係数αに基づいて補正する。また、裏面読取に関する機構の機差ばらつきに起因する主走査方向の読取倍率のズレを裏面主走査補正係数β（Ｍ２）に基づいて補正する。また、裏面読取に関する機構の機差ばらつきおよびサイズばらつきならびに厚さばらつきに起因する副走査方向の読取倍率のズレを、裏面副走査補正係数β（Ｓ２）、サイズ依存補正係数α、厚さ依存補正係数γに基づいて補正する。
【０３６５】
これにより、両面同時読取時において、表面読取に関する機構と裏面読取に関する機構とに機差ばらつきおよび原稿の厚さばらつきが生じた場合にも、適正な読取倍率に補正することができる。また、副走査方向の電子変倍処理は常に間引き処理（縮小処理）となり、電子変倍処理による副走査方向の水増し処理（拡大）を行なう必要がないため、画像読取処理のパフォーマンスが低下することはなく、画像読取を高速で行なうことができる。また、表面読取画像に対してのみ副走査方向の電子変倍処理を行ない、裏面読取画像に対しては副走査方向の電子変倍処理を行なわないため、副走査方向の電子変倍処理に起因する画質の劣化を最小限に抑えることができる。また、副走査方向の電子変倍処理による水増し処理（拡大処理）を行なう必要がないため、画像処理部（第２画像処理部１４５）の規模を小さくすることができ、ＭＦＰ１のコストを抑えることができる。
【０３６６】
（変形例２）
本実施の形態の変形例２においては、倍率設定処理において、両面同時読取における表面副走査倍率補正値に従う表面読取画像の副走査方向の電子変倍処理（間引き処理）の実行の有無をさらに判定する方式について説明する。
【０３６７】
電子変倍処理（間引き処理）は、画質劣化となるため画質を優先する場合には、表面読取画像の副走査方向における電子変倍処理を実行しない方が望ましいとも考えられる。
【０３６８】
したがって、両面同時読取において、機差ばらつきに起因して生じる読取倍率の変化にしたがって表面読取画像と裏面読取画像との読取倍率差が小さくなるような場合には、表面読取画像の副走査方向における電子変倍処理（間引き処理）を実行せず、画質を優先させる方が望ましい場合も考えられる。
【０３６９】
したがって、本実施の形態の変形例２においては、機差ばらつきに起因する読取倍率のばらつきを補正するための機差補正係数を考慮して、表面読取画像の読取倍率と裏面読取画像の読取倍率との差が小さい場合には、表面読取画像の副走査方向における電子変倍処理（間引き処理）を実行せず、逆に、表面読取画像の読取倍率と裏面読取画像の読取倍率との差が大きい場合には、表面読取画像の副走査方向における電子変倍処理（間引き処理）を実行する方式について説明する。
【０３７０】
図２１は、本発明の実施の形態の変形例２に従う両面同時読取の倍率設定処理について説明するフロー図である。当該両面同時読取の倍率設定処理を実現するためのプログラムは予めＲＯＭ３０に格納されており、当該プログラムを制御部２０が読み出して実行することにより以下に示す処理が実行される。
【０３７１】
図２１を参照して、図２０で説明した両面同時読取の倍率設定処理のフローと比較して、電子変倍処理（間引き処理）の実行の有無を判定する処理（電子間引き判定処理とも称する）であるステップＳ９５を追加した点が異なる。その他の処理については、図２０のフローと同様であるのでその詳細な説明は繰り返さない。
【０３７２】
図２２は、本発明の実施の形態の変形例２に従う電子間引き判定処理について説明する図である。当該電子間引き判定処理を実現するためのプログラムは予めＲＯＭ３０に格納されており、当該プログラムを制御部２０が読み出して実行することにより以下に示す処理が実行される。
【０３７３】
図２２を参照して、まず、表面副走査補正係数β（Ｓ１）および裏面副走査補正係数β（Ｓ２）を確認する（ステップＳ１００）。
【０３７４】
そして、次に、裏面副走査補正係数β（Ｓ２）に対する表面副走査補正係数β（Ｓ１）の比を算出する（ステップＳ１０２）。
【０３７５】
そして、積値が９９．５％未満か否かを判断する（ステップＳ１０４）。
そして、積値が９９．５％未満であると判断される場合（ステップＳ１０４においてＹＥＳ）には、表面読取画像の副走査方向における電子変倍処理（間引き処理）実行フラグをオン（ＯＮ）に設定する（ステップＳ１０６）。そして、処理を終了する（リターン）。
【０３７６】
一方、積値が９９．５％未満でないと判断される場合（ステップＳ１０４においてＮＯ）には、表面読取画像の副走査方向における電子変倍処理（間引き処理）実行フラグをオフ（ＯＦＦ）に設定する（ステップＳ１０８）。そして、処理を終了する（リターン）。
【０３７７】
そして、図２２に戻って、当該電子変倍処理（間引き処理）の実行フラグのオン／オフに応じてステップＳ９８における表面副走査倍率補正値に基づく電子変倍の変倍率の設定処理を実行する。すなわち、電子変倍処理（間引き処理）の実行フラグがオフである場合には、電子変倍の変倍率の設定処理は実行されない。一方、電子変倍処理（間引き処理）の実行フラグがオンである場合には、表面の副走査方向の電子変倍の変倍率は、表面副走査倍率補正値に設定される。
【０３７８】
図２３は、裏面副走査補正係数β（Ｓ２）に対する表面副走査補正係数β（Ｓ１）の比について説明する図である。
【０３７９】
図２３に示されるように、裏面副走査補正係数β（Ｓ２）に対する表面副走査補正係数β（Ｓ１）の比について、９９．５％未満である場合として、太線よりも下側領域が示されている。
【０３８０】
表面副走査倍率補正値を算出する式（２２）にも示されるように、表面副走査倍率補正値は、表面副走査補正係数β（Ｓ１）と裏面副走査補正係数β（Ｓ２）との比に依存する。
【０３８１】
表面副走査倍率補正値＝（副走査設定倍率）×（表面副走査補正係数β（Ｓ１））÷（裏面副走査補正係数β（Ｓ２））・・・式（２２）
したがって、表面副走査補正係数β（Ｓ１）／裏面副走査補正係数β（Ｓ２）≒１の場合には、表面副走査倍率補正値≒副走査設定倍率となる。
【０３８２】
すなわち、表面読取画像に関して副走査方向の読取倍率の補正は必要ではない。
一方、裏面副走査補正係数β（Ｓ２）≧表面副走査補正係数β（Ｓ１）の関係がある場合に、裏面副走査補正係数β（Ｓ２）に対する表面副走査補正係数β（Ｓ１）の比が小さくなればなるほど、表面副走査倍率補正値が小さくなる。すなわち、表面読取画像に関して副走査方向の読取倍率の補正が必要となる。
【０３８３】
本例においては、表面読取画像に関して副走査方向の電子変倍処理（間引き処理）の判定基準である裏面副走査補正係数β（Ｓ２）に対する表面副走査補正係数β（Ｓ１）の比のしきい値として、一例として、９９．５％に設定する。
【０３８４】
裏面副走査補正係数β（Ｓ２）に対する表面副走査補正係数β（Ｓ１）の比が小さい場合、すなわち、表面読取画像と裏面読取画像との機差ばらつきに起因する読取倍率の差が大きい場合には、電子変倍処理（間引き処理）を実行することとし、逆に、比が９９．５％以上である場合、すなわち、表面読取画像と裏面読取画像との機差ばらつきに起因する読取倍率の差が小さい場合には、電子変倍処理（間引き処理）を実行しないこととする。
【０３８５】
当該方式により、表面読取画像と裏面読取画像との読取倍率の差が小さい場合に電子間引きを実行しないように設定することにより画質の精度を優先させることが可能となる。
【０３８６】
なお、当該場合においては、電子変倍処理（間引き処理）を実行しないため表面読取画像において、表面の原稿の長さが裏面に対して幾分大きくなる可能性がある。すなわち、メモリ９０に格納される読取画像のサイズが異なる可能性があるが、メモリ９０に格納される読取画像のデータ量のサイズを超える部分については、入力がなかったものと扱う。当該方式により、サイズを調整することが可能である。
【０３８７】
なお、本例においては、積値について、９９．５％未満である場合を例に挙げたが、一例であり、他の値に設定することも可能である。
【０３８８】
なお、コンピュータを機能させて、上述のフローで説明したような制御を実行させる方法あるいは当該方法を実現するプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０３８９】
なお、プログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０３９０】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０３９１】
提供されるプログラム製品は、ハードディスクなどのプログラム格納部にインストールされて実行される。なお、プログラム製品は、プログラム自体と、プログラムが記録された記録媒体とを含む。
【０３９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０３９３】
１  ＭＦＰ、１０  操作パネル、１１  操作部、１２  ディスプレイ、１３  スキャナ、１４  プリンタ、１５  ＡＤＦ、１６  ファクシミリ、１７  原稿トレイ、１８  給紙部、１９  トレイ、２０  制御部、２１  内部バス、２２  メーラ、２６  記憶部、２８  ＲＡＭ、３０  ＲＯＭ、４３，１４３  第１画像処理部、５３  スライダ駆動部、５５  スライダモータ、８１，１８１  画像入力部、８２，１８２  入力データ処理部、８３，１８３  補正部、８４，１８４  色差分離部、８５，１８５  画像調整部、８６，１８６  色空間変換部、８７，１８７  圧縮伸張部、９０  メモリ。
【図１】
2011176740.tif 000003
【図２】
2011176740.tif 000004
【図３】
2011176740.tif 000005
【図４】
2011176740.tif 000006
【図５】
2011176740.tif 000007
【図６】
2011176740.tif 000008
【図７】
2011176740.tif 000009
【図８】
2011176740.tif 000010
【図９】
2011176740.tif 000011
【図１０】
2011176740.tif 000012
【図１１】
2011176740.tif 000013
【図１２】
2011176740.tif 000014
【図１３】
2011176740.tif 000015
【図１４】
2011176740.tif 000016
【図１５】
2011176740.tif 000017
【図１６】
2011176740.tif 000018
【図１７】
2011176740.tif 000019
【図１８】
2011176740.tif 000020
【図１９】
2011176740.tif 000021
【図２０】
2011176740.tif 000022
【図２１】
2011176740.tif 000023
【図２２】
2011176740.tif 000024
【図２３】
2011176740.tif 000025
【図２４】
2011176740.tif 000026